(57)【要約】【課題】全ての要素周波数帯域について、確実な周波数スケジューリング、及び適応変調及び符号化を行うことができること【解決手段】スケジューリング要求配置制御部は、チャネル品質指標及びスケジューリング要求を配置可能な複数の時間帯域において、前後の当該時間帯域で異なる上りリンク要素周波数帯域を、スケジューリング要求を配置可能な上りリンク要素周波数帯域として決定する。サブキャリアマッピング部は、スケジューリング要求をスケジューリング要求配置制御部が決定した上りリンク要素周波数帯域に配置し、スケジューリング要求を配置する上りリンク要素周波数帯域及び時間帯域以外の帯域において、下りリンク要素周波数帯域各々のチャネル品質指標を、同一の時間帯域中の上りリンク要素周波数帯域であって予め対応付けられた上りリンク要素周波数帯域各々に配置する。【選択図】図１１
2010212893.tif 000002
【特許請求の範囲】
【請求項１】
予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置において、
前記下りリンク要素周波数帯域各々の受信品質を示すチャネル品質指標と、情報データを配置して送信する無線リソースの割り当てを前記基地局装置に対して要求するスケジューリング要求と、を生成する上りリンク制御データ生成部と、
前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定するスケジューリング要求配置制御部と、
前記上りリンク制御データ生成部が生成したスケジューリング要求を前記スケジューリング要求配置制御部が決定した上りリンク要素周波数帯域に配置し、前記スケジューリング要求を配置する上りリンク要素周波数帯域及び時間帯域以外の帯域において、前記上りリンク制御データ生成部が生成した下りリンク要素周波数帯域各々のチャネル品質指標を、同一の時間帯域中の上りリンク要素周波数帯域であって予め対応付けられた上りリンク要素周波数帯域各々に配置するサブキャリアマッピング部と、
前記サブキャリアマッピング部が配置したスケジューリング要求及びチャネル品質指標を前記基地局装置に送信する送信処理部と、
を備えることを特徴とする移動局装置。
【請求項２】
前記サブキャリアマッピング部は、一定周期の時間帯域に、前記上りリンク制御データ生成部が生成した下りリンク要素周波数帯域各々のチャネル品質指標を配置し、
前記スケジューリング要求配置制御部は、前記上りリンク要素周波数帯域毎に前記スケジューリング要求を配置可能な時間帯域についての開始時間及び一定の周期を決定する
ことを特徴とする請求項１に記載の移動局装置。
【請求項３】
前記スケジューリング要求配置制御部は、前記開始時間として、上りリンク要素周波数帯域についての開始時間同士の時間差を決定することを特徴とする請求項２に記載の移動局装置。
【請求項４】
前記上りリンク要素周波数帯域についての開始時間同士の時間差であって前後の開始時間同士の時間差は、等しいことを特徴とする請求項３に記載の移動局装置。
【請求項５】
前記スケジューリング要求配置制御部は、一定周期の時間帯域を、前記スケジューリング要求を配置可能な時間帯域として決定することを特徴とする請求項１に記載の移動局装置。
【請求項６】
前記サブキャリアマッピング部は、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースには、前記チャネル品質指標を配置しないことを特徴とする請求項１に記載の移動局装置。
【請求項７】
前記サブキャリアマッピング部は、前記上りリンク制御データ生成部が前記スケジューリング要求を生成したとき、前記チャネル品質指標を配置可能な無線リソースを割り当てられた前記上りリンク要素周波数帯域及び時間帯域と、前記スケジューリング要求を配置可能な無線リソースを割り当てられた前記上りリンク要素周波数帯域及び時間帯域と、が同じ上りリンク要素周波数帯域及び時間帯域である場合、当該上りリンク要素周波数帯域及び時間帯域の無線リソースに前記上りリンク制御データ生成部が生成したスケジューリング要求を配置し、前記チャネル品質指標を配置しないことを特徴とする請求項１に記載の移動局装置。
【請求項８】
予め定められた周波数帯域幅の帯域である下りリンク要素周波数帯域を複数用いて基地局装置からの送信信号を受信する移動局装置と、予め定められた周波数帯域幅の帯域である上りリンク要素周波数帯域を複数用いて移動局装置からの送信信号を受信する基地局装置と、を具備する無線通信システムにおいて、
前記移動局装置は、
前記下りリンク要素周波数帯域各々の受信品質を示すチャネル品質指標と、情報データを配置して送信する無線リソースの割り当てを前記基地局装置に対して要求するスケジューリング要求と、を生成する上りリンク制御データ生成部と、
前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定するスケジューリング要求配置制御部と、
前記上りリンク制御データ生成部が生成したスケジューリング要求を前記スケジューリング要求配置制御部が決定した上りリンク要素周波数帯域に配置し、前記スケジューリング要求を配置する上りリンク要素周波数帯域及び時間帯域以外の帯域において、前記上りリンク制御データ生成部が生成した下りリンク要素周波数帯域各々のチャネル品質指標を、同一の時間帯域中の上りリンク要素周波数帯域であって予め対応付けられた上りリンク要素周波数帯域各々に配置するサブキャリアマッピング部と、
前記サブキャリアマッピング部が配置したスケジューリング要求及びチャネル品質指標を前記基地局装置に送信する送信処理部と、
を備えることを特徴とする無線通信システム。
【請求項９】
予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置における通信制御方法において、
前記移動局装置が、前記下りリンク要素周波数帯域各々の受信品質を示すチャネル品質指標と、情報データを配置して送信する無線リソースの割り当てを前記基地局装置に対して要求するスケジューリング要求と、を生成する第１の過程と、
前記移動局装置が、前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定する第２の過程と、
前記移動局装置が、前記第１の過程にて生成したスケジューリング要求を前記第２の過程にて決定した上りリンク要素周波数帯域に配置し、前記スケジューリング要求を配置する上りリンク要素周波数帯域及び時間帯域以外の帯域において、前記第１の過程にて生成した下りリンク要素周波数帯域各々のチャネル品質指標を、同一の時間帯域中の上りリンク要素周波数帯域であって予め対応付けられた上りリンク要素周波数帯域各々に配置する第３の過程と、
前記移動局装置が、前記第３の過程にて配置したスケジューリング要求及びチャネル品質指標を前記基地局装置に送信する第４の過程と、
を有することを特徴とする通信制御方法。
【請求項１０】
予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置のコンピュータを、
前記下りリンク要素周波数帯域各々の受信品質を示すチャネル品質指標と、情報データを配置して送信する無線リソースの割り当てを前記基地局装置に対して要求するスケジューリング要求と、を生成する上りリンク制御データ生成手段、
前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定するスケジューリング要求配置制御手段、
前記上りリンク制御データ生成手段にて生成したスケジューリング要求を前記スケジューリング要求配置制御手段にて決定した上りリンク要素周波数帯域に配置し、前記スケジューリング要求を配置する上りリンク要素周波数帯域及び時間帯域以外の帯域において、前記上りリンク制御データ生成手段にて生成した下りリンク要素周波数帯域各々のチャネル品質指標を、同一の時間帯域中の上りリンク要素周波数帯域であって予め対応付けられた上りリンク要素周波数帯域各々に配置するサブキャリアマッピング手段、
前記サブキャリアマッピング手段にて配置したスケジューリング要求及びチャネル品質指標を前記基地局装置に送信する送信処理手段、
として機能させる通信制御プログラム。
【発明の詳細な説明】
【技術分野】
【０００１】
本発明は、移動局装置、無線通信システム、通信制御方法、及び通信制御プログラムに関する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）において標準化され、同方式によるセルラー移動通信サービスが開始されている。また、３ＧＰＰにおいて、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）及び３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が検討されている。
【０００３】
ＥＵＴＲＡの基地局装置から移動局装置への通信方向である下りリンクにおいて、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ；直交周波数分割多重）方式が適用されている。また、ＥＵＴＲＡの移動局装置から基地局装置への通信方向である上りリンクにおいて、シングルキャリア送信であるＤＦＴ（Ｄｉｓｃｒｅｔｅ  Ｆｏｕｒｉｅｒ  Ｔｒａｎｓｆｏｒｍ；離散フーリエ変換）−Ｓｐｒｅａｄ  ＯＦＤＭ方式が適用されている。
【０００４】
＜上りリンクチャネル構成＞
以下、ＥＵＴＲＡにおける上りリンク無線フレームの概略構成を説明する。図１８は、従来技術に係る移動局装置から基地局装置への上りリンク無線フレームの概略構成を示す図である。この図において、横軸は時間領域、縦軸は周波数領域を表している。
上りリンク無線フレームは、上りリンクリソースブロックペア（時間周波数帯域）から構成される。この上りリンクリソースブロックペアは、移動局装置各々に対する無線リソース割り当て単位であり、予め決められた幅の周波数帯および時間帯からなる。１個の上りリンクリソースブロックペアは、時間領域で連続する２個の上りリンクリソースブロックから構成される。また、この図において、１個の上りリンクリソースブロックは、周波数領域において１２個の上りリンクサブキャリアから構成され、時間領域において７個のＳＣ−ＦＤＭＡシンボル（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ；シングルキャリア周波数分割多元接続）から構成される。上りリンクシステム帯域幅は、基地局装置の上りリンクの通信帯域幅である。
【０００５】
また、図１８において、時間領域には、７個のＳＣ−ＦＤＭＡシンボルから構成される上りリンクスロット、２個の上りリンクスロットから構成される上りリンクサブフレーム、１０個の上りリンクサブフレームから構成される上りリンク無線フレームがある。なお、時間方向については、１個の上りリンクサブフレームが、上りリンクの移動局装置各々に対する無線リソース割り当ての時間方向の単位である時間フレームである。また、１個の上りリンクサブキャリアと１個のＳＣ−ＦＤＭＡシンボルから構成されるユニットを上りリンクリソースエレメントと呼ぶ。また、上りリンク無線フレームでは上りリンクシステム帯域幅に応じて複数の上りリンクリソースブロックが配置される。
【０００６】
各上りリンクサブフレームには少なくとも、情報データの送信に用いる上りリンク共有データチャネル、制御データの送信に用いる上りリンク制御チャネルが配置される。図１８において、白抜きの領域は上りリンク共有データチャネルを示し、格子状にハッチングされた領域は、上りリンク制御チャネルを示す。なお、この図において、縦線でハッチングされた領域は、上りリンクパイロットチャネルを示す。
上りリンク制御チャネルは、下りリンクのチャネル品質指標ＣＱＩ（Ｃｈａｎｎｅｌ  Ｑｕａｌｉｔｙ  Ｉｎｄｉｃａｔｏｒ）、スケジューリング要求ＳＲ（Ｓｃｈｅｄｕｌｉｎｇ  Ｒｅｑｕｅｓｔ）、又は、下りリンク共有データチャネルに対する受信応答ＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）のいずれかからなる制御データ信号を１個の上りリンクリソースブロックペアに配置して送信する。下りリンクのチャネル品質指標ＣＱＩ、及びスケジューリング要求ＳＲの詳細については、後述する。
また、この上りリンク制御チャネルに用いる上りリンクリソースブロックペアは、上りリンクシステム帯域幅の帯域の両端の上りリンクリソースブロックペアであり、周波数領域に対称関係にある上りリンクリソースブロックから構成される。例えば、図１８において、上りリンクリソースブロックＸ１１、Ｘ１２をあわせて、１個の上りリンクリソースブロックペアが構成される。
【０００７】
＜チャネル品質指標ＣＱＩ、スケジューリング要求ＳＲ＞
以下、ＥＵＴＲＡのチャネル品質指標ＣＱＩについて説明する。
チャネル品質指標ＣＱＩは、移動局装置が、基地局装置から受信した下りリンクパイロットチャネルの下りリンク参照信号を用いて受信品質を測定した測定結果であり、移動局装置各々について下りリンクシステム帯域の受信品質を示す情報である。移動局装置は、予め基地局装置より割り当てられた上りリンク制御チャネルを用いて、チャネル品質指標ＣＱＩを基地局装置に周期的に送信する。なお、基地局装置は、移動局装置との通信接続開始時に、その移動局装置がチャネル品質指標ＣＱＩを配置するための周期的な無線リソース（以下、ＣＱＩ配置可能制御チャネルという）を割り当てる。
【０００８】
基地局装置は、移動局装置から受信したチャネル品質指標ＣＱＩを用いて、移動局装置に対する下りリンク共有データチャネルの無線リソース割り当て（周波数スケジューリング）、下りリンク共有データチャネルの変調方式・符号化率の選択（適応変調及び符号化）を行う。例えば、基地局装置は、移動局装置に対してチャネル品質指標ＣＱＩが良好な下りリンクリソースブロックに下りリンク共有データチャネルを割り当てる。また、基地局装置は、チャネル品質指標ＣＱＩに応じて下りリンク共有データチャネルの変調方式をＱＰＳＫ（Ｑｕａｄｒａｔｕｒｅ  Ｐｈａｓｅ  Ｓｈｉｆｔ  Ｋｅｙｉｎｇ；４相位相偏移変調）、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）の中から設定する。
【０００９】
以下、ＥＵＴＲＡのスケジューリング要求ＳＲについて説明する。
スケジューリング要求ＳＲは、移動局装置が基地局装置に対して、上りリンク共有データチャネルの無線リソースの割り当てを要求する情報である。移動局装置は、自装置のバッファに送信する情報データが溜まってきて、上りリンク共有データチャネルの無線リソースの割り当てを要求する場合に、スケジューリング要求ＳＲを送信する。移動局装置は、予め基地局装置より割り当てられた上りリンク制御チャネルを用いて、スケジューリング要求ＳＲを基地局装置に送信する。なお、基地局装置は、移動局装置との通信接続開始時に、その移動局装置がスケジューリング要求ＳＲを配置するための周期的な無線リソース（以下、ＳＲ配置可能制御チャネルという）を割り当てる。
【００１０】
以下、ＣＱＩ配置可能制御チャネル及びＳＲ配置可能制御チャネルの割り当て方法について説明をする。
図１９は、従来技術に係るＣＱＩ配置可能制御チャネル及びＳＲ配置可能制御チャネルの時間領域における割り当ての一例を示す概略図である。この図は、図１８の上りリンクサブフレーム単位の時間領域を示した図であり、横軸は時間を示す。
【００１１】
図１９において、符号ＣＱＩ、ＳＲを付した矩形は、それぞれ、ＣＱＩ配置可能制御チャネル、ＳＲ配置可能制御チャネルを示す。
この図は、基地局装置が移動局装置に対して、２個の上りリンクサブフレーム毎（上りリンクサブフレーム１、３、５、７、・・・）に、ＣＱＩ配置可能制御チャネルを割り当てたことを示す。また、この図は、基地局装置が移動局装置に対して、４個の上りリンクサブフレーム毎（上りリンクサブフレーム１、５、９、１３、・・・）に、ＳＲ配置可能制御チャネルを割り当てたことを示す。
【００１２】
ところで、従来の無線通信システムにおいて、移動局装置の送信電力のＰＡＰＲ（Ｐｅａｋ−ｔｏ−Ａｖｅｒａｇｅ  Ｐｏｗｅｒ  Ｒａｔｉｏ；ピーク電力対平均電力比）が増大することを防止するため、上りリンクではシングルキャリア（例えば、ＤＦＴ−Ｓｐｒｅａｄ  ＯＦＤＭ方式）であること（以下、シングルキャリア属性という）を確保することが求められる。仮に、移動局装置が、１個の上りリンクサブフレームの上りリンク制御チャネルに、２個以上の制御データ信号（例えば、チャネル品質指標ＣＱＩとスケジューリング要求ＳＲ）を配置して送信すると、送信信号はマルチキャリア信号となり、ＰＡＰＲが増大してしまう。
そのため、移動局装置は、スケジューリング要求ＳＲを送信するとき、スケジューリング要求ＳＲを配置する上りリンクサブフレームの上りリンク制御チャネルに、チャネル品質指標ＣＱＩも配置する予定である場合、重要度の高いスケジューリング要求ＳＲのみをこの上りリンクサブフレームの上りリンク制御チャネルに配置して送信する。つまり、このとき、移動局装置は、スケジューリング要求ＳＲを配置する上りリンクサブフレームでは、チャネル品質指標ＣＱＩを配置しない。
【００１３】
例えば、図１９において、鎖線で囲んだ上りリンクサブフレーム５は、ＣＱＩ配置可能制御チャネル及びＳＲ配置可能制御チャネルの両方を含んでいる（上りリンクサブフレーム１、９、１３、１７についても同じである）。移動局装置は、上りリンクサブフレーム５の上りリンク制御チャネルにスケジューリング要求ＳＲを配置する場合、上りリンクサブフレーム５の上りリンク制御チャネルにチャネル品質指標ＣＱＩを配置しない。なお、逆に、移動局装置は、上りリンクサブフレーム５の上りリンク制御チャネルにスケジューリング要求ＳＲを配置しない場合、つまり、基地局装置へ送信する情報データが溜まっていない場合、上りリンクサブフレーム５の上りリンク制御チャネルにチャネル品質指標ＣＱＩを配置する。
【００１４】
＜要素周波数帯域＞
一方、３ＧＰＰにおいて、セルラー移動通信の第四世代（４ｔｈ  Ｇｅｎｅｒａｔｉｏｎ；第４世代、以下、「４Ｇ」という）無線アクセス方式（Ａｄｖａｎｃｅｄ  ＥＵＴＲＡ；以下、「Ａ−ＥＵＴＲＡ」という）および、４Ｇネットワーク（Ａｄｖａｎｃｅｄ  ＥＵＴＲＡＮ）の検討が開始されている。
Ａ−ＥＵＴＲＡでは、ＥＵＴＲＡよりも広い周波数帯域に対応すること、およびＥＵＴＲＡとの互換性（ｃｏｍｐａｔｉｂｉｌｉｔｙ）を確保することが検討されている。このため、Ａ−ＥＵＴＲＡでは、基地局装置がＥＵＴＲＡの周波数帯域を一単位（要素周波数帯域）として、複数の要素周波数帯域から構成されるシステム帯域を用いた通信を行う技術（周波数帯域集約：Ｓｐｅｃｔｒｕｍ  ａｇｇｒｅｇａｔｉｏｎ、または、キャリア集約：Ｃａｒｒｉｅｒ  ａｇｇｒｅｇａｔｉｏｎと呼称することがある。）が検討されている（なお、要素周波数帯域をキャリア要素：Ｃａｒｒｉｅｒ  Ｃｏｍｐｏｎｅｎｔ、または、コンポーネントキャリア：Ｃｏｍｐｏｎｅｎｔ  ｃａｒｒｉｅｒと呼称することもある。）（非特許文献１）。この技術では、基地局装置は、ＥＵＴＲＡに対応した移動局装置と何れか１個の要素周波数帯域を用いて通信を行ない、Ａ−ＥＵＴＲＡに対応した移動局装置と１個以上の要素周波数帯域を用いて通信を行なう。
【先行技術文献】
【非特許文献】
【００１５】
【非特許文献１】３ＧＰＰ  ＴＳＧ  ＲＡＮ１  ＃５４ｂｉｓ、Ｐｒａｇｕｅ、Ｃｚｅｃｈ  Ｒｅｐｕｂｌｉｃ、２９−３  Ｓｅｐｔｅｍｂｅｒ、２００８、Ｒ１−０８３６７７“Ｕｐｄａｔｅｄ  Ｖｉｅｗｓ  ｏｎ  Ｓｕｐｐｏｒｔ  ｏｆ  Ｗｉｄｅｒ  Ｂａｎｄｗｉｄｔｈ  ｉｎ  ＬＴＥ−Ａｄｖａｎｃｅｄ”
【発明の概要】
【発明が解決しようとする課題】
【００１６】
ところで、Ａ−ＥＵＴＲＡにおいても、ＥＵＴＲＡの場合と同様に、基地局装置は、移動局装置から下りリンクのチャネル品質指標ＣＱＩを受信して、これらの受信した情報に基づいて、周波数スケジューリング、適応変調、及び符号化を行う。また、基地局装置がＥＵＴＲＡ対応の移動局装置及びＡ−ＥＵＴＲＡ対応の移動局装置の双方と通信可能とする互換性確保の観点から、Ａ−ＥＵＴＲＡのシステム帯域を構成する複数の要素周波数帯域各々の無線フレームの構成は、ＥＵＴＲＡのシステム帯域の無線フレームの構成と同じであることが好ましい。
しかしながら、ＥＵＴＲＡのシステム帯域の無線フレームの構成をそのままＡ−ＥＵＴＲＡでの要素周波数帯域各々に適用したとき、移動局装置は、連続してスケジューリング要求ＳＲを配置する場合等、下りリンクの要素周波数帯域各々の受信品質を示す下りリンクのチャネル品質指標ＣＱＩのうち同じ下りリンクの要素周波数帯域のチャネル品質指標ＣＱＩを連続して送信できない場合がある。この場合、基地局装置は、長期間にわたって、同じ下りリンクの要素周波数帯域のチャネル品質指標ＣＱＩを得ることができず、当該下りリンクの要素周波数帯域について確実な周波数スケジューリング、適応変調、及び符号化を行うことができないという欠点がある。
【００１７】
本発明は上記の点に鑑みてなされたものであり、その目的は、全ての要素周波数帯域について、確実な周波数スケジューリング、及び適応変調及び符号化を行うことができる移動局装置、無線通信システム、通信制御方法、及び通信制御プログラムを提供することにある。
【課題を解決するための手段】
【００１８】
（１）本発明は上記の課題を解決するためになされたものであり、本発明は、予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置において、前記下りリンク要素周波数帯域各々の受信品質を示すチャネル品質指標と、情報データを配置して送信する無線リソースの割り当てを前記基地局装置に対して要求するスケジューリング要求と、を生成する上りリンク制御データ生成部と、前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定するスケジューリング要求配置制御部と、前記上りリンク制御データ生成部が生成したスケジューリング要求を前記スケジューリング要求配置制御部が決定した上りリンク要素周波数帯域に配置し、前記スケジューリング要求を配置する上りリンク要素周波数帯域及び時間帯域以外の帯域において、前記上りリンク制御データ生成部が生成した下りリンク要素周波数帯域各々のチャネル品質指標を、同一の時間帯域中の上りリンク要素周波数帯域であって予め対応付けられた上りリンク要素周波数帯域各々に配置するサブキャリアマッピング部と、前記サブキャリアマッピング部が配置したスケジューリング要求及びチャネル品質指標を前記基地局装置に送信する送信処理部と、を備えることを特徴とする移動局装置である。
上記構成によると、前記移動局装置は、前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定するので、連続してスケジューリング要求を配置する場合等であっても、前後の時間帯域で異なる下りリンクの要素周波数帯域のチャネル品質指標ＣＱＩを基地局装置に送信することができ、基地局装置が、全ての要素周波数帯域について確実な周波数スケジューリング、適応変調、及び符号化を行うことができる。
【００１９】
（２）また、本発明は、上記の前記移動局装置において、前記サブキャリアマッピング部は、一定周期の時間帯域に、前記上りリンク制御データ生成部が生成した下りリンク要素周波数帯域各々のチャネル品質指標を配置し、前記スケジューリング要求配置制御部は、前記上りリンク要素周波数帯域毎に前記スケジューリング要求を配置可能な時間帯域についての開始時間及び一定の周期を決定することを特徴とする。
【００２０】
（３）また、本発明は、上記の前記移動局装置において、前記スケジューリング要求配置制御部は、前記開始時間として、上りリンク要素周波数帯域各々についての開始時間の時間差を決定することを特徴とする。
【００２１】
（４）また、本発明は、上記の前記移動局装置において、前記上りリンク要素周波数帯域各々についての開始時間の時間差は等しいことを特徴とする。
【００２２】
（５）また、本発明は、上記の前記移動局装置において、前記スケジューリング要求配置制御部は、一定周期の時間帯域を、前記スケジューリング要求を配置可能な時間帯域として決定することを特徴とする。
【００２３】
（６）また、本発明は、上記の前記移動局装置において、前記サブキャリアマッピング部は、前記チャネル品質指標を配置可能な無線リソースが割り当てられた前記上りリンク要素周波数帯域及び時間帯域と、前記スケジューリング要求を配置可能な無線リソースが割り当てられた前記上りリンク要素周波数帯域及び時間帯域と、が同じ上りリンク要素周波数帯域及び時間帯域である場合、当該上りリンク要素周波数帯域及び時間帯域の無線リソースには、前記チャネル品質指標を配置しないことを特徴とする。
上記構成によると、前記無線通信システムは、前記移動局装置が前記スケジューリング要求を生成したとき、前記チャネル品質指標を配置可能な無線リソースを割り当てられた前記上りリンク要素周波数帯域及び時間帯域と、前記スケジューリング要求を配置可能な無線リソースを割り当てられた前記上りリンク要素周波数帯域及び時間帯域と、が同じ上りリンク要素周波数帯域及び時間帯域である場合、当該上りリンク要素周波数帯域及び時間帯域の無線リソースに生成したスケジューリング要求を配置し、前記チャネル品質指標を配置しないので、前記スケジューリング要求を迅速かつ確実に送信することができ、前記移動局装置での情報データあふれによる情報データの損失等を防止することができる。
【００２４】
（７）また、本発明は、上記の前記移動局装置において、前記サブキャリアマッピング部は、前記上りリンク制御データ生成部が前記スケジューリング要求を生成したとき、前記チャネル品質指標を配置可能な無線リソースを割り当てられた前記上りリンク要素周波数帯域及び時間帯域と、前記スケジューリング要求を配置可能な無線リソースを割り当てられた前記上りリンク要素周波数帯域及び時間帯域と、が同じ上りリンク要素周波数帯域及び時間帯域である場合、当該上りリンク要素周波数帯域及び時間帯域の無線リソースに前記上りリンク制御データ生成部が生成したスケジューリング要求を配置し、前記チャネル品質指標を配置しないことを特徴とする。
【００２５】
（８）また、本発明は、予め定められた周波数帯域幅の帯域である下りリンク要素周波数帯域を複数用いて基地局装置からの送信信号を受信する移動局装置と、予め定められた周波数帯域幅の帯域である上りリンク要素周波数帯域を複数用いて移動局装置からの送信信号を受信する基地局装置と、を具備する無線通信システムにおいて、前記移動局装置は、前記下りリンク要素周波数帯域各々の受信品質を示すチャネル品質指標と、情報データを配置して送信する無線リソースの割り当てを前記基地局装置に対して要求するスケジューリング要求と、を生成する上りリンク制御データ生成部と、前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定するスケジューリング要求配置制御部と、前記上りリンク制御データ生成部が生成したスケジューリング要求を前記スケジューリング要求配置制御部が決定した上りリンク要素周波数帯域に配置し、前記スケジューリング要求を配置する上りリンク要素周波数帯域及び時間帯域以外の帯域において、前記上りリンク制御データ生成部が生成した下りリンク要素周波数帯域各々のチャネル品質指標を、同一の時間帯域中の上りリンク要素周波数帯域であって予め対応付けられた上りリンク要素周波数帯域各々に配置するサブキャリアマッピング部と、前記サブキャリアマッピング部が配置したスケジューリング要求及びチャネル品質指標を前記基地局装置に送信する送信処理部と、を備えることを特徴とする無線通信システムである。
【００２６】
（９）また、本発明は、予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置における通信制御方法において、前記移動局装置が、前記下りリンク要素周波数帯域各々の受信品質を示すチャネル品質指標と、情報データを配置して送信する無線リソースの割り当てを前記基地局装置に対して要求するスケジューリング要求と、を生成する第１の過程と、前記移動局装置が、前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定する第２の過程と、前記移動局装置が、前記第１の過程にて生成したスケジューリング要求を前記第２の過程にて決定した上りリンク要素周波数帯域に配置し、前記スケジューリング要求を配置する上りリンク要素周波数帯域及び時間帯域以外の帯域において、前記第１の過程にて生成した下りリンク要素周波数帯域各々のチャネル品質指標を、同一の時間帯域中の上りリンク要素周波数帯域であって予め対応付けられた上りリンク要素周波数帯域各々に配置する第３の過程と、前記移動局装置が、前記第３の過程にて配置したスケジューリング要求及びチャネル品質指標を前記基地局装置に送信する第４の過程と、を有することを特徴とする通信制御方法である。
【００２７】
（１０）また、本発明は、予め定められた周波数帯域幅の帯域である下りリンク要素周波数帯域を複数用いて基地局装置からの送信信号を受信し、予め定められた周波数帯域幅の帯域である上りリンク要素周波数帯域を複数用いて基地局装置へ送信信号を送信する移動局装置のコンピュータを、  前記下りリンク要素周波数帯域各々の受信品質を示すチャネル品質指標と、情報データを配置して送信する無線リソースの割り当てを前記基地局装置に対して要求するスケジューリング要求と、を生成する上りリンク制御データ生成手段、前記チャネル品質指標及び前記スケジューリング要求を配置可能な複数の時間帯域において、前後の当該時間帯域で異なる上りリンク要素周波数帯域を、前記スケジューリング要求を配置可能な上りリンク要素周波数帯域として決定するスケジューリング要求配置制御手段、前記上りリンク制御データ生成手段にて生成したスケジューリング要求を前記スケジューリング要求配置制御手段にて決定した上りリンク要素周波数帯域に配置し、前記スケジューリング要求を配置する上りリンク要素周波数帯域及び時間帯域以外の帯域において、前記上りリンク制御データ生成手段にて生成した下りリンク要素周波数帯域各々のチャネル品質指標を、同一の時間帯域中の上りリンク要素周波数帯域であって予め対応付けられた上りリンク要素周波数帯域各々に配置するサブキャリアマッピング手段、前記サブキャリアマッピング手段にて配置したスケジューリング要求及びチャネル品質指標を前記基地局装置に送信する送信処理手段、として機能させる通信制御プログラムである。
【発明の効果】
【００２８】
本発明によれば、移動局装置は、チャネル品質指標及びスケジューリング要求を配置可能な複数の時間帯域において、前後の当該時間帯域で異なる上りリンク要素周波数帯域を、スケジューリング要求を配置可能な上りリンク要素周波数帯域として決定するので、連続してスケジューリング要求を配置する場合等であっても、前後の時間帯域で異なる下りリンクの要素周波数帯域のチャネル品質指標ＣＱＩを基地局装置に送信することができ、基地局装置が、全ての要素周波数帯域について確実な周波数スケジューリング、適応変調、及び符号化を行うことができる。
【図面の簡単な説明】
【００２９】
【図１】この発明の第１の実施形態に係る無線通信システムの全体像についての概略を説明する図である。
【図２】本実施形態に係る基地局装置から移動局装置への下りリンク無線フレームの概略構成を示す図である。
【図３】本実施形態に係る移動局装置から基地局装置への上りリンク無線フレームの概略構成を示す図である。
【図４】本実施形態に係るチャネル品質指標ＣＱＩの一例について説明をする図である。
【図５】本実施形態に係るＳＲ配置可能制御チャネル及びＣＱＩ配置可能制御チャネルの時間領域における割り当ての一例を示す概略図である。
【図６】本実施形態に係るＳＲ配置可能制御チャネル及びＣＱＩ配置可能制御チャネルの周波数領域における割り当ての一例を示す概略図である。
【図７】本実施形態に係る基地局装置の構成を示す概略ブロック図である。
【図８】本実施形態に係るＳＲ配置可能制御チャネル割当情報の一例を示す図である。
【図９】本実施形態に係る基地局装置の送信処理部の構成を示す概略ブロック図である。
【図１０】本実施形態に係る基地局装置の受信処理部の構成を示す概略ブロック図である。
【図１１】本実施形態に係る移動局装置の構成を示す概略ブロック図である。
【図１２】本実施形態に係る移動局装置の受信処理部の構成を示す概略ブロック図である。
【図１３】本実施形態に係る移動局装置の送信処理部の構成を示す概略ブロック図である。
【図１４】本実施形態に係るＳＲ配置処理による配置の一例を示す概略図である。
【図１５】スケジューリング要求ＳＲの配置について別の一例を示す概略図である。
【図１６】本実施形態に係る移動局装置の動作を示すフロー図である。
【図１７】本実施形態に係るＳＲ配置可能上りリンクサブフレーム配置処理の動作を示すフロー図である。
【図１８】従来技術に係る移動局装置から基地局装置への上りリンク無線フレームの概略構成を示す図である。
【図１９】従来技術に係るＣＱＩ配置可能制御チャネル及びＳＲ配置可能制御チャネルの時間領域における割り当ての一例を示す概略図である。
【発明を実施するための形態】
【００３０】
以下、図面を参照しながら本発明の実施形態について詳しく説明する。図１を用いて、本実施形態に係る無線通信システム１の全体像について説明をする。その後、図２〜図６、図１４〜図１５を用いて本実施形態に係る無線フレームの構成、図７、図９〜図１３を用いて本実施形態に係る無線通信システム１の装置の構成について説明をする。また、図８を用いて本実施形態に係るＳＲ配置可能制御チャネル割当情報、図１６、図１７を用いて本実施形態に係る無線通信システム１の動作処理について説明をする。
【００３１】
＜無線通信システム１の全体像＞
図１は、この発明の第１の実施形態に係る無線通信システム１の全体像についての概略を説明する図である。
この図が示す無線通信システム１では、基地局装置ＢＳ１と、複数の移動局装置ＵＥ１、ＵＥ２、ＵＥ３とが無線通信を行う。
【００３２】
また、この図は、基地局装置ＢＳ１から移動局装置ＵＥ１、ＵＥ２、ＵＥ３への無線通信の下りリンクが、下りリンクパイロットチャネル、下りリンク制御チャネル、及び下りリンク共有データチャネルを含んで構成されることを示す。また、この図は、移動局装置ＵＥ１、ＵＥ２、ＵＥ３から基地局装置ＢＳ１への無線通信の上りリンクが、上りリンク共有データチャネル、上りリンクパイロットチャネル、及び上りリンク制御チャネルを含んで構成されることを示す。
なお、移動局装置ＵＥ３は、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；３Ｇの進化）に対応した移動局装置であり、後述する要素周波数帯域の１個を用いて基地局装置ＢＳ１と通信を行う移動局装置である。一方、移動局装置ＵＥ１、ＵＥ２は、Ａ−ＥＵＴＲＡ（Ａｄｖａｎｃｅｄ  ＥＵＴＲＡ）に対応した移動局装置であり、１個以上の要素周波数帯域を用いて基地局装置ＢＳ１と通信を行う移動局装置である。
以下、本実施形態において、基地局装置ＢＳ１を基地局装置ａ１といい、移動局装置ＵＥ１、ＵＥ２を移動局装置ｂ１という。
【００３３】
＜下りリンク無線フレームの構成＞
図２は、本実施形態に係る基地局装置ａ１から移動局装置ｂ１への下りリンク無線フレームの概略構成を示す図である。この図において、横軸は時間領域、縦軸は周波数領域を表している。
【００３４】
下りリンク無線フレームは、下りリンクリソースブロックペアから構成される。この下りリンクリソースブロックペアは、無線リソース割り当てなどの単位であって、予め決められた幅の周波数帯および時間帯からなる。１個の下りリンクリソースブロックペアは時間領域で連続する２個の下りリンクリソースブロックから構成される。
また、この図において、１個の下りリンクリソースブロックは、周波数領域において１２個の下りリンクサブキャリアから構成され、時間領域において７個のＯＦＤＭシンボルから構成される。
【００３５】
この図が示す周波数領域において、下りリンクシステム帯域幅は、基地局装置ａ１の下りリンクの通信帯域幅であり、Ａ−ＥＵＴＲＡに対応した移動局装置ｂ１が通信に用いることができる周波数帯域幅である。
また、下りリンクシステム帯域幅の帯域は、Ｎ個の下りリンク要素周波数帯域ｍ（ｍ＝１〜Ｎ）から構成される。この下りリンク要素周波数帯域幅は、予め定められた周波数帯域幅であり、ＥＵＴＲＡに対応した移動局装置ＵＥ３が通信に用いることができる周波数帯域幅である。例えば、６０ＭＨｚの帯域幅の下りリンクシステム帯域は、３個の２０ＭＨｚの帯域幅の下りリンク要素周波数帯域１〜３から構成される。なお、下りリンク要素周波数帯域では下りリンク要素周波数帯域幅に応じて複数の下りリンクリソースブロックが配置される。例えば、２０MHｚの帯域幅の下りリンク要素周波数帯域ｍは、１００個の下りリンクリソースブロックから構成される。
【００３６】
また、この図が示す時間領域において、７個のＯＦＤＭシンボルから構成される下りリンクスロット、２個の下りリンクスロットから構成される下りリンクサブフレーム、１０個の下りリンクサブフレームから構成される下りリンク無線フレームがある。なお、１個の下りリンクサブキャリアと１個のＯＦＤＭシンボルから構成されるユニットを下りリンクリソースエレメントと呼ぶ。
【００３７】
各下りリンクサブフレームには少なくとも、情報データの送信に用いる下りリンク共有データチャネル、制御データの送信に用いる下りリンク制御チャネルが割り当てられる。図２において、白抜きの領域は下りリンク共有データチャネルを示し、横線でハッチングされた領域は、下りリンク制御チャネルを示す。
また、この図において図示は省略するが、下りリンク共有データチャネル及び下りリンク制御チャネルの伝搬路変動の推定に用いる下りリンクパイロットチャネルの下りリンク参照信号が複数の下りリンクリソースエレメントに分散して配置される。ここで、下りリンク参照信号は、下りリンクパイロットチャネルに用いる、無線通信システム１において既知の信号である。
下りリンク制御チャネルには、移動局識別子、下りリンク共有データチャネルの無線リソース割り当て情報、マルチアンテナ関連情報、変調方式、符号化率、再送パラメータなどの制御データから生成された信号が配置される。
【００３８】
＜上りリンク無線フレームの構成＞
図３は、本実施形態に係る移動局装置ｂ１から基地局装置ａ１への上りリンク無線フレームの概略構成を示す図である。この図において、横軸は時間領域、縦軸は周波数領域を表している。
【００３９】
上りリンク無線フレームは、上りリンクリソースブロックペアから構成される。この上りリンクリソースブロックペアは、移動局装置ｂ１各々に対する無線リソース割り当て単位であり、予め決められた幅の周波数帯および時間帯からなる。１個の上りリンクリソースブロックペアは、時間領域で連続する２個の上りリンクリソースブロックから構成される。
また、この図において、１個の上りリンクリソースブロックは、周波数領域において１２個の上りリンクサブキャリアから構成され、時間領域において７個のＳＣ−ＦＤＭＡシンボルから構成される。上りリンクシステム帯域幅は、基地局装置ａ１の上りリンクの通信帯域幅である。
【００４０】
また、この図が示す周波数領域において、上りリンクシステム帯域幅は、基地局装置ａ１の上りリンクの通信帯域幅であり、Ａ−ＥＵＴＲＡに対応した移動局装置ｂ１が通信に用いることができる周波数帯域幅である。
また、上りリンクシステム帯域幅の帯域は、Ｎ個の上りリンク要素周波数帯域ｎ（ｎ＝１〜Ｎ）から構成される（Ｎを要素周波数帯域数という）。この上りリンク要素周波数帯域幅は、予め定められた周波数帯域幅であり、ＥＵＴＲＡに対応した移動局装置ＵＥ３が通信に用いることができる周波数帯域幅である。例えば、６０ＭＨｚの帯域幅の上りリンクシステム帯域は、３個の２０ＭＨｚの帯域幅の上りリンク要素周波数帯域１〜３から構成される。なお、上りリンク要素周波数帯域では上りリンク要素周波数帯域幅に応じて複数の上りリンクリソースブロックが配置される。例えば、２０MHｚの帯域幅の上りリンク要素周波数帯域ｎは、１００個の上りリンクリソースブロックから構成される。
【００４１】
また、この図が示す時間領域において、７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ；シングルキャリア周波数分割多元接続）シンボルから構成される上りリンクスロット、２個の上りリンクスロットから構成される上りリンクサブフレーム（時間帯域）、１０個の上りリンクサブフレームから構成される上りリンク無線フレームがある。なお、１個の上りリンクサブキャリアと１個のＳＣ−ＦＤＭＡシンボルから構成されるユニットを上りリンクリソースエレメントと呼ぶ。
【００４２】
各上りリンクサブフレームには少なくとも、情報データの送信に用いる上りリンク共有データチャネル、制御データの送信に用いる上りリンク制御チャネルが割り当てられる。図３において、白抜きの領域は上りリンク共有データチャネルを示し、格子状にハッチングされた領域は、上りリンク制御チャネルを示す。
【００４３】
上りリンク制御チャネルでは、下りリンクのチャネル品質指標ＣＱＩ（Ｃｈａｎｎｅｌ  Ｑｕａｌｉｔｙ  Ｉｎｄｉｃａｔｏｒ）、スケジューリング要求ＳＲ（Ｓｃｈｅｄｕｌｉｎｇ  Ｒｅｑｕｅｓｔ）、又は、下りリンク共有データチャネルに対する受信応答ＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）のいずれかからなる制御データ信号が１個の上りリンクリソースブロックペアに配置される。下りリンクのチャネル品質指標ＣＱＩ、及びスケジューリング要求ＳＲの詳細については、後述する。
また、この上りリンク制御チャネルに用いる上りリンクリソースブロックペアは、各上りリンク要素周波数帯域ｎの両端の上りリンクリソースブロックペアであり、周波数領域に対称関係にある上りリンクリソースブロックから構成される。例えば、図３において、上りリンク要素周波数帯域１では、上りリンクリソースブロックＰ１１、Ｐ１２をあわせて、１個の上りリンクリソースブロックペアが構成される。
【００４４】
また、図３において、縦線でハッチングされた領域は、上りリンク共有データチャネル及び上りリンク制御チャネルの伝搬路変動の推定に用いられる上りリンクパイロットチャネルを示す。この図に示すように、上りリンクパイロットチャネルは、上りリンク共有データチャネルと同じ上りリンクリソースブロック内に配置（共有データチャネル配置という）される場合と、上りリンク制御チャネルと同じ上りリンクリソースブロック内に配置（制御チャネル配置という）される場合と、で異なるＳＣ−ＦＤＭＡシンボルに配置される（上りリンクパイロットチャネルの信号を上りリンク参照信号と称す）。
また、制御チャネル配置の場合、上りリンク参照信号は、配置する制御データ信号に応じて異なるＳＣ−ＦＤＭＡシンボルに配置される
【００４５】
具体的には、共有データチャネル配置の場合、上りリンク参照信号は、上りリンクスロット内の４番目のＳＣ−ＦＤＭＡシンボルに配置される。
また、チャネル品質指標ＣＱＩが配置される上りリンクリソースブロック内の制御チャネル配置の場合、上りリンク参照信号は、上りリンクスロット内の２番目と６番目のＳＣ−ＦＤＭＡシンボルに配置される。また、スケジューリング要求ＳＲが配置される上りリンクリソースブロック内の制御チャネル配置の場合、上りリンク参照信号は、上りリンクスロット内の３番目と４番目と５番目のＳＣ−ＦＤＭＡシンボルに配置される。また同様に、受信応答ＡＣＫ／ＮＡＣＫが配置される上りリンクリソースブロック内の制御チャネル配置の場合、上りリンク参照信号は、上りリンクスロット内の３番目と４番目と５番目のＳＣ−ＦＤＭＡシンボルに配置される。
【００４６】
なお、この図では、上りリンク制御チャネルが各上りリンク要素周波数帯域ｎの最も端の上りリンクリソースブロックに割り当てられた場合を示しているが、上りリンク要素周波数帯域ｎの端から２番目、３番目などの上りリンクリソースブロックが上りリンク制御チャネルに用いられる場合もある。
また、本発明の実施形態に係る無線通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、後述する基地局装置ａ１及び移動局装置ｂ１の構成が示すように、上りリンク要素周波数帯域ｎ単位でＤＦＴ−Ｓｐｒｅａｄ  ＯＦＤＭ方式を用いて信号を送受信する方式である。また、ＮｘＤＦＴ−Ｓｐｒｅａｄ  ＯＦＤＭ方式とは、複数の上りリンク要素周波数帯域ｎを用いた無線通信システム１の上りリンクサブフレームにおいて複数のＤＦＴ−Ｓｐｒｅａｄ  ＯＦＤＭ送受信に関する処理部（上りリンク要素周波数帯域毎受信処理部ａ１１−１〜ａ１１−Ｎ、上りリンク要素周波数帯域毎送信処理部ｂ１４１−１〜ｂ１４１−Ｎ）を用いて通信を行なう方式である。
上記のように、本実施形態に係る無線フレームの構成は、下りリンク要素周波数帯域ｍ毎及び上りリンク要素周波数帯域ｎ毎に、ＥＵＴＲＡの無線フレームと同様の構成である。これにより、基地局装置ａ１と移動局装置ＵＥ３とが、同じ下りリンク要素周波数帯域ｍ及び上りリンク要素周波数帯域ｎを用いて通信をすることができる。
【００４７】
＜下りリンクのチャネル品質指標ＣＱＩ、スケジューリング要求ＳＲ＞
以下、チャネル品質指標ＣＱＩ及びスケジューリング要求ＳＲについて説明する。
図４は、本実施形態に係るチャネル品質指標ＣＱＩの一例について説明をする図である。この図は、図２の下りリンクシステム帯域幅の帯域が３個（要素周波数帯域Ｎ＝３）の下りリンク要素周波数帯域１〜３から構成される場合の図であり、横軸は周波数を示す。
【００４８】
チャネル品質指標ＣＱＩは、各移動局装置ｂ１が下りリンク要素周波数帯域ｍ各々について生成する情報であって、下りリンク要素周波数帯域ｍ各々の受信品質を示す情報である。移動局装置ｂ１は、下りリンク要素周波数帯域ｍ各々について、基地局装置ａ１から受信した下りリンクパイロットチャネルの下りリンク参照信号を用いて受信品質を測定してチャネル品質指標ＣＱＩを生成する。以下、下りリンク要素周波数帯域ｍ（ｍ＝１，２、・・・、Ｎ）の受信品質を示すチャネル品質指標ＣＱＩを、下りリンク要素周波数帯域ｍＣＱＩという。
図４は、移動局装置ｂ１が、下りリンク要素周波数帯域１、２、３各々の下りリンクパイロットチャネルの下りリンク参照信号を用いて受信品質を測定し、それぞれ、下りリンク要素周波数帯域１ＣＱＩ、下りリンク要素周波数帯域２ＣＱＩ、下りリンク要素周波数帯域３ＣＱＩを生成することを示す。つまり、１個の下りリンク要素周波数帯域ｍＣＱＩは、１個の下りリンク要素周波数帯域ｍの受信品質を示す情報である。
【００４９】
スケジューリング要求ＳＲは、移動局装置ｂ１が基地局装置ａ１に対して、上りリンク共有データチャネルの無線リソースの割り当てを要求する情報である。移動局装置ｂ１は、自装置のバッファｂ１３に送信する情報データが溜まってきて、上りリンク共有データチャネルの無線リソースの割り当てを要求する場合に、スケジューリング要求ＳＲを送信する。
【００５０】
スケジューリング要求ＳＲ及びチャネル品質指標ＣＱＩは、下りリンクのチャネル品質指標ＣＱＩを配置可能な上りリンク制御チャネルの無線リソース（以下、ＣＱＩ配置可能制御チャネルという）、及びスケジューリング要求ＳＲを配置可能な上りリンク制御チャネルの無線リソース（以下、ＳＲ配置可能制御チャネルという）に配置されて送信される。
【００５１】
図５は、本実施形態に係るＳＲ配置可能制御チャネル及びＣＱＩ配置可能制御チャネルの周波数領域における割り当ての一例を示す概略図である。この図は、図３の上りリンクシステム帯域幅の帯域が３個の上りリンク要素周波数帯域１〜３から構成される場合の図であり、横軸は周波数を示す。
【００５２】
図５において、符号ＣＱＩｎ、ＳＲｎを付した楕円形は、上りリンク要素周波数帯域ｎの制御チャネルの無線リソースを示す。
図５は、上りリンク要素周波数帯域ｎに、スケジューリング要求ＳＲを配置するＳＲ配置可能制御チャネルｎ（ＳＲｎ）が割り当てられていることを示す。後述するように、ＳＲ配置可能制御チャネル１〜３は、同時には割り当てられず、いずれか１つが１個のサブフレームに割り当てられる。
【００５３】
また、図５は、上りリンク要素周波数帯域１〜３に、それぞれ、下りリンク要素周波数帯域１〜３ＣＱＩのいずれか１個を配置するＣＱＩ配置可能制御チャネル１〜３（ＣＱＩ１〜３）が割り当てられていることを示す。また、ＣＱＩ配置可能制御チャネル１〜３には、同一の上りリンクサブフレームに、それぞれ異なる下りリンク要素周波数帯域ｍＣＱＩが配置される。例えば、図５の例では、ＣＱＩ配置可能制御チャネル１には下りリンク要素周波数帯域１ＣＱＩ、ＣＱＩ配置可能制御チャネル２には下りリンク要素周波数帯域２ＣＱＩ、ＣＱＩ配置可能制御チャネル３には下りリンク要素周波数帯域３ＣＱＩが配置される。すなわち、下りリンク要素周波数帯域ｍＣＱＩは、同一の時間帯域中の上りリンク要素周波数帯域であって予め対応付けられた上りリンク要素周波数帯域ｎ各々に配置される。
【００５４】
なお、ＳＲ配置可能制御チャネル及びＣＱＩ配置可能制御チャネルは、図３で示した上りリンク制御チャネルに用いる上りリンクリソースブロックペアに対応する。つまり、ＳＲ配置可能制御チャネルｎ及びＣＱＩ配置可能制御チャネルｎは、各上りリンク要素周波数帯域ｎの両端の上りリンクリソースブロックペアであり、周波数領域に対称関係にある上りリンクリソースブロックから構成される。また、ＳＲ配置可能制御チャネル及びＣＱＩ配置可能制御チャネルは、異なる上りリンクリソースブロックペアに割り当てられる。
【００５５】
図６は、本実施形態に係るＳＲ配置可能制御チャネル及びＣＱＩ配置可能制御チャネルの時間領域における割り当ての一例を示す概略図である。この図は、図３の上りリンクサブフレーム単位の時間領域（上りリンクサブフレームｓ；サブフレーム番号ｓ＝１〜１８）を示した図であり、横軸は時間を示す。また、この図は、図３の上りリンクシステム帯域幅の帯域が３個（Ｎ＝３）の上りリンク要素周波数帯域１〜３から構成される場合の図である。
図６において、符号ＳＲｎ（ｎ＝１、２、・・・、Ｎ＝３）、ＣＱＩを付した矩形は、ＳＲ配置可能制御チャネル及びＣＱＩ配置可能制御チャネルが割り当てられていることを示す。なお、矩形ＳＲｎは、図５のＳＲ配置可能制御チャネルｎ（楕円形ＳＲｎ）を示し、矩形ＣＱＩは、図５のＣＱＩ配置可能制御チャネル１〜３（楕円形ＣＱＩ１〜３）の全てが割り当てられていることを示す。
【００５６】
図６は、基地局装置ａ１が移動局装置ｂ１に対して、４個の上りリンクサブフレーム毎（上りリンクサブフレーム１、５、９、１３、・・・）に、ＳＲ配置可能制御チャネル１、２、３の順にＳＲ配置可能制御チャネルを割り当てたことを示す。以下、ＳＲ配置可能制御チャネルが割り当てられた周期（この図においては、４個の上りリンクサブフレーム分の時間周期）を、ＳＲ配置可能周期Ｔ１（Ｔ１はサブフレーム単位で表わされる数であり、例えば、図５ではＴ１＝４である）という。すなわち、ＳＲ配置可能制御チャネルは、一定周期の時間帯域に割り当てられる。
【００５７】
また、上りリンク無線フレームにおいて、全てのｎについてＳＲ配置可能制御チャネルｎを割り当てるパターンをくり返す一定の周期（図６においては、１２個の上りリンクサブフレーム分の時間周期）をＳＲ割当パターン周期Ｔ（ＳＲ配置可能制御チャネルｎ毎の一定の周期）という。例えば、上りリンクサブフレーム１、５、９におけるＳＲ配置可能制御チャネル１、２、３の割当パターンは、それぞれ、上りリンクサブフレーム１３、１７、２１の割当パターンと同じである。なお、この割り当ては、上りリンク要素周波数帯域ｎ毎にＳＲ割当パターン周期ＴでＳＲ配置可能制御チャネルが割り当てられていることと同等である。例えば、上りリンク要素周波数帯域１では、上りリンクサブフレーム１、１３、２５、・・・のように、Ｔ＝１２の周期でＳＲ配置可能制御チャネルが割り当てられている。
また、ＳＲ割当パターン周期Ｔにおいて、最初の上りリンクサブフレームからＳＲ配置可能制御チャネルｎを割り当てる上りリンクサブフレームまでの時間を、ＳＲ割当時間ｔｎ（開始時間；図６においては、ｔ１＝１、ｔ２＝５、ｔ３＝９）という。
【００５８】
図６は、基地局装置ａ１が移動局装置ｂ１に対して、２個の上りリンクサブフレーム毎（上りリンクサブフレーム１、３、５、７、・・・）に、ＣＱＩ配置可能制御チャネルを割り当てたことを示す。以下、ＣＱＩ配置可能制御チャネルが割り当てられた周期（この図においては、２個の上りリンクサブフレーム分の時間周期）を、ＣＱＩ配置可能周期Ｔ２（Ｔ２はサブフレーム単位で表わされる数であり、例えば、図５ではＴ２＝２である）という。
【００５９】
図６では、４個の上りリンクサブフレーム毎（上りリンクサブフレーム１、５、９、１３、・・・）に、ＳＲ配置可能制御チャネルとＣＱＩ配置可能制御チャネルとが同じサブフレームに割り当てられている。移動局装置ｂ１は、これらの上りリンクサブフレームの上りリンク要素周波数帯域ｎについて、スケジューリング要求ＳＲｎを送信する場合には、チャネル品質指標ＣＱＩも配置する予定であっても、重要度の高いスケジューリング要求ＳＲｎのみを、この上りリンクサブフレームの上りリンク制御チャネルに配置して送信する。つまり、この場合、移動局装置ｂ１は、スケジューリング要求ＳＲｎを配置する上りリンクサブフレームの上りリンク要素周波数帯域ｎに、チャネル品質指標ＣＱＩを配置しない。
【００６０】
本実施形態では、移動局装置ｂ１は、スケジューリング要求ＳＲを送信する場合、基地局装置ａ１によって予め定められたＳＲ割当パターン周期Ｔ内のＳＲ割当時間ｔｎにおいて、上りリンク要素周波数帯域ｎにスケジューリング要求ＳＲを配置して基地局装置ａ１に送信する。つまり、図６で示したように、移動局装置ｂ１は、ＣＱＩ配置可能制御チャネル及びＳＲ配置可能制御チャネルが同時に割り当てられた複数の上りリンクサブフレーム１、５、９、・・・において、前後の当該上りリンクサブフレーム１、５、９、・・・で異なる上りリンク要素周波数帯域ｎを、スケジューリング要求ＳＲを配置可能な上りリンク要素周波数帯域ｎに決定する。移動局装置ｂ１は、この上りリンク要素周波数帯域ｎにスケジューリング要求ＳＲを配置する。このＳＲ配置処理の詳細については後述する。
【００６１】
＜基地局装置ａ１の構成＞
以下、図７、図９、図１０を用いて、本実施形態に係る基地局装置ａ１の構成について説明する。
図７は、本実施形態に係る基地局装置ａ１の構成を示す概略ブロック図である。この図に示すように、基地局装置ａ１は、受信処理部ａ１１、無線リソース制御部ａ１２、制御部ａ１３、及び、送信処理部ａ１４を含んで構成される。
また、この図に示すように、受信処理部ａ１１は、上りリンク制御チャネル検出部ａ１１２７を備える。また、無線リソース制御部ａ１２は、上りリンク制御チャネル配置決定部ａ１２１を備える。また、制御部ａ１３は、上りリンク制御チャネル検出制御部ａ１３１を備える。
【００６２】
受信処理部ａ１１は、制御部ａ１３の指示に従い、後述する受信アンテナａ１５２により移動局装置ｂ１又は移動局装置ＵＥ３から受信した受信信号を復調、復号する。受信処理部ａ１１は、復調、復号して抽出した情報データを上位層に出力する。
ここで、上記の復調、復号処理について、受信処理部ａ１１が備える上りリンク制御チャネル検出部ａ１１２７は、上りリンク制御チャネル検出制御部ａ１３１の制御に基づき、受信信号の上りリンク制御チャネルを復調、復号して制御データを検出し、検出した制御データ又は生成した制御信号を制御部ａ１３に出力する。
例えば、上りリンク制御チャネル検出部ａ１１２７は、ＳＲ配置可能制御チャネルｎのいずれかに配置されたスケジューリング要求ＳＲを検出した場合、スケジューリング要求ＳＲを検出したことを示す制御信号を生成し、制御部ａ１３に出力する。また、上りリンク制御チャネル検出部ａ１１２７は、上りリンク要素周波数帯域ｎのＣＱＩ配置可能制御チャネルｎに配置された下りリンク要素周波数帯域ｍ（＝ｎ）ＣＱＩを復調、復号し、制御部ａ１３を介して無線リソース制御部ａ１２に出力する。上りリンク制御チャネル検出部ａ１１２７を含む受信処理部ａ１１の詳細については、後述する。
【００６３】
無線リソース制御部ａ１２は、制御部ａ１３を介して上りリンク制御チャネル検出部ａ１１２７から入力された下りリンク要素周波数帯域ｍＣＱＩに基づいて、移動局装置ｂ１に対する下りリンク共有データチャネルの無線リソース割り当て（周波数スケジューリング）、下りリンク共有データチャネルの変調方式・符号化率の選択（適応変調及び符号化）、及び送信電力の値の選択を行う。
また、無線リソース制御部ａ１２は、間欠送受信サイクル、下りリンク制御チャネル、上りリンク制御チャネル、上りリンク共有データチャネルの無線リソース割り当てを行う。ここで、無線リソース制御部ａ１２は、上りリンク制御チャネル検出部ａ１１２７からスケジューリング要求ＳＲを検出したことを示す制御信号が入力されると、スケジューリング要求ＳＲを送信した移動局装置ｂ１に対して上りリンク共有データチャネルの無線リソースの割り当てを行う。無線リソース制御部ａ１２は、上りリンク共有データチャネルの符号化率・変調方式を選択する。
無線リソース制御部ａ１２は、移動局装置ｂ１各々の送信電力、間欠送受信サイクル、各チャネルの割り当てを示す無線リソース割り当て情報、変調方式・符号化率を含む無線リソース制御情報を制御部ａ１３及び送信処理部ａ１４に出力する。
【００６４】
ここで、上記の上りリンク制御チャネルの無線リソース割り当てについて、無線リソース制御部ａ１２が備える上りリンク制御チャネル配置決定部ａ１２１は、上りリンク制御チャネルの無線リソース割り当てを行う。例えば、上りリンク制御チャネル配置決定部ａ１２１は、移動局装置ｂ１との通信接続開始時、この移動局装置ｂ１について、ＳＲ配置可能周期Ｔ１及びＣＱＩ配置可能周期Ｔ２を決定する。
上りリンク制御チャネル配置決定部ａ１２１は、予め記憶するＳＲ配置可能制御チャネル割当情報（図８）を読み出し、決定したＳＲ配置可能周期Ｔ１及びＣＱＩ配置可能周期Ｔ２に対応するＳＲ割当パターン周期Ｔ及びＳＲ割当時間ｔｎを決定する。ＳＲ割当パターン周期Ｔ及びＳＲ割当時間ｔｎを選択する。例えば、Ｔ１＝４、Ｔ２＝２に対して、Ｔ＝１２、ｔ１＝１、ｔ２＝５、ｔ３＝９を選択する。この場合は、ＳＲ配置可能制御チャネルは、図６で示したように割り当てられる。
【００６５】
上りリンク制御チャネル配置決定部ａ１２１は、移動局装置ｂ１との通信接続開始時に、ＣＱＩ配置可能周期Ｔ２、ＳＲ割当パターン周期Ｔ、及びＳＲ割当時間ｔｎを示す無線リソース制御情報を、送信処理部ａ１４を介して移動局装置ｂ１に送信する。また、上りリンク制御チャネル配置決定部ａ１２１は、この無線リソース制御情報を上りリンク制御チャネル検出制御部ａ１３１に出力する。
【００６６】
制御部ａ１３は、無線リソース制御部ａ１２から入力された無線リソース制御情報に基づいて、上りリンク共有データチャネル及び上りリンク制御チャネルの無線リソース割り当て・変調方式・符号化率の情報を受信処理部ａ１１に出力し、受信処理部ａ１１の制御を行なう。また、制御部ａ１３は、無線リソース制御部ａ１２から入力された無線リソース制御情報に基づいて、下りリンク制御チャネルを用いて送信する制御データを生成し、送信処理部ａ１４に出力する。
【００６７】
制御部ａ１３は、無線リソース制御部ａ１２から入力された無線リソース制御情報に基づいて、上りリンク共有データチャネル及び上りリンク制御チャネルの無線リソース割り当て・変調方式・符号化率の情報を受信処理部ａ１１に出力し、受信処理部ａ１１の制御を行なう。また、制御部ａ１３は、無線リソース制御部ａ１２から入力された無線リソース制御情報に基づいて、下りリンク制御チャネルを用いて送信する制御データを生成し、送信処理部ａ１４に出力する。
【００６８】
ここで、上記の受信処理部ａ１１の制御について、制御部ａ１３が備える上りリンク制御チャネル検出制御部ａ１３１は、上りリンク制御チャネル配置決定部ａ１２１から入力された移動局装置ｂ１各々のＳＲ割当パターン周期Ｔ、及びＳＲ割当時間ｔｎに基づいて、ＳＲ配置可能制御チャネルを選択する。上りリンク制御チャネル検出制御部ａ１３１は、上りリンク制御チャネル検出部ａ１１２７に選択した無線リソースからスケジューリング要求ＳＲを検出させる制御を行う。
また、上りリンク制御チャネル検出制御部ａ１３１は、上りリンク制御チャネル検出部ａ１１２７にＣＱＩ配置可能制御チャネルｎから、下りリンク要素周波数帯域ｍ（＝ｎ）ＣＱＩを検出させる制御を行う。
【００６９】
送信処理部ａ１４は、制御部ａ１３から入力された制御信号に基づき下りリンク制御チャネル、下りリンク共有データチャネルを用いて送信する信号を生成して、送信アンテナａ１５１を介して送信する。具体的には、送信処理部ａ１４は、制御部ａ１３から入力された制御データを下りリンク制御チャネルを用いて送信する。
また、送信処理部ａ１４は、無線リソース制御部ａ１２から入力された無線リソース制御情報等及び上位層から入力された情報データを下りリンク共有データチャネルを用いて送信する。例えば、送信処理部ａ１４は、無線リソース制御部ａ１２から入力された無線リソース制御情報を、下りリンク共有データチャネルを用いて送信する。送信処理部ａ１４の詳細については、後述する。
なお、説明の簡略化のため、以降、下りリンク共有データチャネルを用いて送信する情報を情報データといい、情報データは無線リソース制御情報を含むものとする。
【００７０】
＜ＳＲ配置可能制御チャネル割当情報＞
図８は、本実施形態に係るＳＲ配置可能制御チャネル割当情報の一例を示す図である。
図示するように、ＳＲ配置可能制御チャネル割当情報は、行と列からなる２次元の表形式のデータであり、ＳＲ配置可能周期Ｔ１、ＣＱＩ配置可能周期Ｔ２、ＳＲ割当パターン周期Ｔ、ＳＲ割当時間ｔ１、ＳＲ割当時間ｔ２、ＳＲ割当時間ｔ３の各項目の列を有している。このＳＲ配置可能制御チャネル割当情報の主キーは、ＳＲ配置可能周期Ｔ１及びＣＱＩ配置可能周期Ｔ２である。この図は、上りリンク要素周波数帯域数ＮがＮ＝３の場合を示す図である。
【００７１】
例えば、図８中の２行目の情報は、ＳＲ配置可能周期Ｔ１が「４」及びＣＱＩ配置可能周期Ｔ２が「２」の場合、ＳＲ割当パターン周期Ｔが「１２」、ＳＲ割当時間ｔ１が「１」、ＳＲ割当時間ｔ２が「５」、ＳＲ割当時間ｔ３が「９」であることを示す。
【００７２】
ＳＲ割当パターン周期Ｔは、例えば、Ｔ＝Ｎ×ＬＣＭ（Ｔ１，Ｔ２）で表わされる。また、ＳＲ割当時間ｔｎは、例えば、ｔｎ＝１＋（ｎ−１）×ＬＣＭ（Ｔ１，Ｔ２）で表わされる。ここで、Ｔ１はＳＲ配置可能周期Ｔ１、Ｔ２はＣＱＩ配置可能周期Ｔ２、ＬＣＭ（ｘ，ｙ）はｘとｙの最小公倍数、Ｎは上りリンク要素周波数帯域数（図８の例では、Ｎ＝３）を示す。
【００７３】
＜基地局装置ａ１の送信処理部ａ１４の構成＞
以下、基地局装置ａ１の送信処理部ａ１４の詳細について説明をする。
図９は、本実施形態に係る基地局装置ａ１の送信処理部ａ１４の構成を示す概略ブロック図である。
【００７４】
この図に示すように、送信処理部ａ１４は、複数の下りリンク共有データチャネル処理部ａ１４１−１〜ａ１４１−ｉ、複数の下りリンク制御チャネル処理部ａ１４２−１〜ａ１４２−ｊ、下りリンクパイロットチャネル処理部ａ１４３１、多重部ａ１４３２、ＩＦＦＴ（Ｉｎｖｅｒｓｅ  Ｆａｓｔ  Ｆｏｕｒｉｅｒ  Ｔｒａｎｓｆｏｒｍ；高速逆フーリエ変換）部ａ１４３３、ＧＩ（Ｇｕａｒｄ  Ｉｎｔｅｒｖａｌ；ガードインターバル）挿入部ａ１４３４、Ｄ／Ａ（Ｄｉｇｉｔａｌ／Ａｎａｌｏｇ；ディジタルアナログ変換）部ａ１４３５、送信ＲＦ（Ｒａｄｉｏ  Ｆｒｅｑｕｅｎｃｙ；無線周波数）部ａ１４３６を含んで構成され、送信アンテナａ１５１に接続されている。
なお、各下りリンク共有データチャネル処理部ａ１４１−１〜ａ１４１−ｉ、各下りリンク制御チャネル処理部ａ１４２−１〜ａ１４２−ｊは、それぞれ、同様の構成及び機能を有するので、その一つ（下りリンク共有データチャネル処理部ａ１４１−１、下りリンク制御チャネル処理部ａ１４２−１）を代表して説明する。
【００７５】
また、この図に示すように、下りリンク共有データチャネル処理部ａ１４１−１は、ターボ符号部ａ１４１１及びデータ変調部ａ１４１２を備える。また、下りリンク制御チャネル処理部ａ１４２−１は、畳み込み符号部ａ１４２１及びＱＰＳＫ（Ｑｕａｄｒａｔｕｒｅ  Ｐｈａｓｅ  Ｓｈｉｆｔ  Ｋｅｙｉｎｇ；４相位相偏移変調）変調部ａ１４２２を備える。
【００７６】
下りリンク共有データチャネル処理部ａ１４１−１は、移動局装置ｂ１への情報データをＯＦＤＭ方式で伝送するためのベースバンド信号処理を行う。
ターボ符号部ａ１４１１は、入力された情報データを、制御部ａ１３から入力された符号化率で、データの誤り耐性を高めるためのターボ符号化を行い、データ変調部ａ１４１２に出力する。
データ変調部ａ１４１２は、ターボ符号部ａ１４１１が符号化した符号データを、制御部ａ１３から入力された変調方式、例えば、ＱＰＳＫ、１６ＱＡＭ、６４ＱＡＭ（６４値直交振幅変調）のような変調方式で変調し、変調シンボルの信号系列を生成する。データ変調部ａ１４１２は、生成した信号系列を、多重部ａ１４３２に出力する。
【００７７】
下りリンク制御チャネル処理部ａ１４２−１は、制御部ａ１３から入力された制御データを、ＯＦＤＭ方式で伝送するためのベースバンド信号処理を行う。
畳み込み符号部ａ１４２１は、制御部ａ１３から入力された制御情報の符号化率に基づき、制御データの誤り耐性を高めるための畳み込み符号化を行う。ここで、制御データはビット単位で制御される。また、畳み込み符号部ａ１４２１は、制御部ａ１３から入力された符号化率に基づき、畳み込み符号化処理を行なったビットに対して出力ビットの数を調整するためにレートマッチングも行なう。
畳み込み符号部ａ１４２１は、符号化した制御データをＱＰＳＫ変調部ａ１４２２に出力する。
ＱＰＳＫ変調部ａ１４２２は、畳み込み符号部ａ１４２１が符号化した制御データを、ＱＰＳＫ変調方式で変調した変調シンボルの信号系列を、多重部ａ１４３２に出力する。
【００７８】
下りリンクパイロットチャネル処理部ａ１４３１は、移動局装置ｂ１において既知の信号である下りリンク参照信号を生成し、多重部ａ１４３２に出力する。
多重部ａ１４３２は、下りリンクパイロットチャネル処理部ａ１４３１から入力された信号と、下りリンク共有データチャネル処理部ａ１４１−１〜ａ１４１−ｉ各々から入力された信号と、下りリンク制御チャネル処理部ａ１４２−１〜ａ１４２−ｊ各々から入力された信号とを、制御部ａ１３からの制御に従って、下りリンク無線フレームに多重する。
【００７９】
なお、多重部ａ１４３２は、下りリンク共有データチャネルと下りリンク制御チャネル間の多重を、図２に示したように時間多重で行う。また、多重部ａ１４３２は、下りリンクパイロットチャネルと、その他のチャネル間の多重は時間・周波数多重で行う。また、多重部ａ１４３２は、各移動局装置ｂ１宛ての下りリンク共有データチャネルの多重を下りリンクリソースブロックペア単位で行い、１個の移動局装置ｂ１に対して複数の下りリンクリソースブロックペアを用いて下りリンク共有データチャネルを多重することもある。また、多重部ａ１４３２は、各移動局装置ｂ１宛ての下りリンク制御チャネルの多重を、下りリンク要素周波数帯域内においてばらばらに分散したリソースエレメントを複数用いて行う。
多重部ａ１４３２は、多重化した信号を、ＩＦＦＴ部ａ１４３３に出力する。
【００８０】
ＩＦＦＴ部ａ１４３３は、多重部ａ１４３２が多重化した信号を高速逆フーリエ変換し、ＯＦＤＭ方式の変調を行い、ＧＩ挿入部ａ１４３４に出力する。
ＧＩ挿入部ａ１４３４は、ＩＦＦＴ部ａ１４３３がＯＦＤＭ方式の変調を行った信号に、ガードインターバルを付加することで、ＯＦＤＭ方式におけるシンボルからなるベースバンドのディジタル信号を生成する。周知のように、ガードインターバルは、伝送するシンボルの先頭又は末尾の一部を複製することによって生成される。ＧＩ挿入部ａ１４３４は、生成したベースバンドのディジタル信号をＤ／Ａ部ａ１４３５に出力する。
Ｄ／Ａ部ａ１４３５は、ＧＩ挿入部ａ１４３４から入力されたベースバンドのディジタル信号をアナログ信号に変換し、送信ＲＦ部ａ１４３６に出力する。
送信ＲＦ部ａ１４３６は、Ｄ／Ａ部ａ１４３５から入力されたアナログ信号から、中間周波数の同相成分及び直交成分を生成し、中間周波数帯域に対する余分な周波数成分を除去する。次に、送信ＲＦ部ａ１４３６は、中間周波数の信号を高周波数の信号に変換（アップコンバート）し、余分な周波数成分を除去し、電力増幅し、送信アンテナａ１５１を介して、移動局装置ｂ１に送信する。
【００８１】
＜基地局装置ａ１の受信処理部ａ１１の構成＞
以下、基地局装置ａ１の受信処理部ａ１１の詳細について説明をする。
図１０は、本実施形態に係る基地局装置ａ１の受信処理部ａ１１の構成を示す概略ブロック図である。
【００８２】
この図に示すように、受信処理部ａ１１は、受信ＲＦ部ａ１１１１、Ａ／Ｄ（Ａｎａｌｏｇ／Ｄｉｇｉｔａｌ；アナログディジタル変換）部ａ１１１２、要素周波数帯域分離部ａ１１１３、複数の上りリンク要素周波数帯域毎受信処理部ａ１１−１〜ａ１１−Ｎ、を含んで構成され、受信アンテナａ１５２に接続されている。
【００８３】
上りリンク要素周波数帯域毎受信処理部ａ１１−ｎ（ｎ＝１〜Ｎ）は、上りリンク要素周波数帯域ｎ毎に設けられ、それぞれ、同様の構成及び機能を有するので、その一つ（上りリンク要素周波数帯域毎受信処理部ａ１１−１）を代表して説明する。
また、この図に示すように、上りリンク要素周波数帯域毎受信処理部ａ１１−１は、シンボルタイミング検出部ａ１１２１、ＧＩ除去部ａ１１２２、ＦＦＴ部ａ１１２３、サブキャリアデマッピング部ａ１１２４、伝搬路推定部ａ１１２５、上りリンク制御チャネル用の伝搬路等化部ａ１１２６、上りリンク制御チャネル検出部ａ１１２７、上りリンク共有データチャネル用の伝搬路等化部ａ１１２８、ＩＤＦＴ部ａ１１２９、データ復調部ａ１１３０、及び、ターボ復号部ａ１１３１を備える。
【００８４】
受信ＲＦ部ａ１１１１は、受信アンテナａ１５２で受信した信号を、適切に増幅し、中間周波数に変換（ダウンコンバート）する。受信ＲＦ部ａ１１１１は、中間周波数の信号から不要な周波数成分を除去し、信号レベルが適切に維持されるように増幅レベルを制御し、受信した信号の同相成分及び直交成分に基づいて、直交復調する。受信ＲＦ部ａ１１１１は、直交復調したアナログ信号を、Ａ／Ｄ部ａ１１１２に出力する。
Ａ／Ｄ部ａ１１１２は、受信ＲＦ部ａ１１１１が直交復調したアナログ信号をディジタル信号に変換し、変換したディジタル信号を、要素周波数帯域分離部ａ１１１３に出力する。
要素周波数帯域分離部ａ１１１３は、上りリンクシステム帯域幅の上りリンク要素周波数帯域ｎ毎に受信信号を分離し、分離した上りリンク要素周波数帯域ｎの受信信号を、それぞれ、上りリンク要素周波数帯域毎受信処理部ａ１１−ｎに出力する。
【００８５】
上りリンク要素周波数帯域毎受信処理部ａ１１−ｎは、それぞれ、要素周波数帯域分離部ａ１１１３から入力された上りリンク要素周波数帯域１〜Ｎの受信信号内の上りリンク共有データチャネル、上りリンク制御チャネルの復調、復号を行ない、情報データ、制御データを検出する。
シンボルタイミング検出部ａ１１２１は、要素周波数帯域分離部ａ１１１３より入力された信号に基づいて、シンボルのタイミングを検出し、検出したシンボル境界のタイミングを示す制御信号を、ＧＩ除去部ａ１１２２に出力する。
ＧＩ除去部ａ１１２２は、シンボルタイミング検出部ａ１１２１からの制御信号に基づいて、要素周波数帯域分離部ａ１１１３より入力された信号からガードインターバルに相当する部分を除去し、残りの部分の信号を、ＦＦＴ部ａ１１２３に出力する。
【００８６】
ＦＦＴ部ａ１１２３は、ＧＩ除去部ａ１１２２から入力された信号を高速フーリエ変換し、ＤＦＴ−Ｓｐｒｅａｄ−ＯＦＤＭ方式の復調を行い、サブキャリアデマッピング部ａ１１２４に出力する。なお、ＦＦＴ部ａ１１２３のポイント数は、後述する移動局装置ｂ１のＩＦＦＴ部ｂ１４１７のポイント数と等しい。
サブキャリアデマッピング部ａ１１２４は、制御部ａ１３から入力された無線リソース割り当て情報に基づき、ＦＦＴ部ａ１１２３が復調した信号を、上りリンクパイロットチャネルの信号と、上りリンク共有データチャネルの信号と、上りリンク制御チャネルの信号とに分離する。サブキャリアデマッピング部ａ１１２４は、分離した上りリンクパイロットチャネルの信号を伝搬路推定部ａ１１２５に出力する。また、サブキャリアデマッピング部ａ１１２４は、分離した上りリンク制御チャネルの信号を、伝搬路等化部ａ１１２８に出力する。
【００８７】
また、サブキャリアデマッピング部ａ１１２４は、上りリンク制御チャネルが配置される無線リソースの候補がいくつかある場合、制御部ａ１３から入力された制御信号に基づき、全ての候補の上りリンク制御チャネルの信号を上りリンク制御チャネル用の伝搬路等化部ａ１１２６に出力する。
【００８８】
伝搬路推定部ａ１１２５は、サブキャリアデマッピング部ａ１１２４が分離した上りリンクパイロットチャネルの上りリンク参照信号と既知の信号を用いて伝搬路の変動を推定する。伝搬路推定部ａ１１２５は、推定した伝搬路推定値を、伝搬路等化部ａ１１２６及び伝搬路等化部ａ１１２８に出力する。なお、この伝搬路推定値はサブキャリア毎に出力される。  
伝搬路等化部ａ１１２６は、サブキャリアデマッピング部ａ１１２４が分離した上りリンク制御チャネルの信号の振幅及び位相を、伝搬路推定部ａ１１２５から入力された伝搬路推定値に基づいて等化する。伝搬路等化部ａ１１２６は、等化した信号を上りリンク制御チャネル検出部ａ１１２７に出力する。
【００８９】
上りリンク制御チャネル検出部ａ１１２７は、伝搬路等化部ａ１１２６から入力された信号を送信された制御データ（例えば、スケジューリング要求ＳＲ、下りリンクのチャネル品質指標ＣＱＩ、又は受信応答ＡＣＫ／ＮＡＣＫ）に応じて、復調、復号し、制御データを検出する。
【００９０】
例えば、上りリンク制御チャネル検出部ａ１１２７は、次のように、スケジューリング要求ＳＲ又はチャネル品質指標ＣＱＩからなる制御データを検出する。
上りリンク制御チャネル検出部ａ１１２７は、ＳＲ配置可能周期Ｔ１において、ＳＲ配置可能制御チャネルｎからスケジューリング要求ＳＲを検出する。
例えば、上りリンク制御チャネル検出部ａ１１２７は、ＳＲ配置可能周期Ｔ１が「４」及びＣＱＩ配置可能周期Ｔ２が「２」のときに図８のＳＲ配置可能制御チャネル割当情報に基づいて制御が行われる場合、上りリンクサブフレーム１ではＳＲ配置可能制御チャネル１から、上りリンクサブフレーム５ではＳＲ配置可能制御チャネル２から、上りリンクサブフレーム９ではＳＲ配置可能制御チャネル３からスケジューリング要求ＳＲを検出する。また、同様に、上りリンク制御チャネル検出部ａ１１２７は、ＳＲ割当パターン周期Ｔ（Ｔ＝１２）経過後の上りリンクサブフレーム１３、１７、２１では、それぞれ、ＳＲ配置可能制御チャネル１、２、３からスケジューリング要求ＳＲを検出する。
【００９１】
また、上りリンク制御チャネル検出部ａ１１２７は、ＣＱＩ配置可能周期Ｔ２において、ＣＱＩ配置可能制御チャネルｎから下りリンク要素周波数帯域ｍ（＝ｎ）ＣＱＩを検出する。
ここで、上りリンク制御チャネル検出部ａ１１２７は、ＳＲ配置可能制御チャネル及びＣＱＩ配置可能制御チャネルが同一の上りリンク要素周波数帯域及び同一の上りリンクサブフレームに割り当てられている場合、次の処理を行う。
まず、上りリンク制御チャネル検出部ａ１１２７は、ＳＲ配置可能制御チャネルｎに配置された信号の検出を行う。例えば、上りリンク制御チャネル検出部ａ１１２７は、ＳＲ配置可能制御チャネルに配置された信号の振幅（電力）が予め定められた閾値以上の場合、移動局装置ｂ１からのスケジューリング要求ＳＲの信号を検出したと判定する。この場合、上りリンク制御チャネル検出部ａ１１２７は、スケジューリング要求ＳＲを検出したことを示す制御信号を生成し、制御部ａ１３に出力する。
【００９２】
一方、上りリンク制御チャネル検出部ａ１１２７は、ＳＲ配置可能制御チャネルｎに配置された信号が予め定められた閾値より小さい場合、移動局装置ｂ１からのスケジューリング要求ＳＲの信号を検出しなかったと判定する。この場合、上りリンク制御チャネル検出部ａ１１２７は、スケジューリング要求ＳＲを検出しなかったことを示す制御信号を生成し、制御部ａ１３に出力する。この場合、上りリンク制御チャネル検出部ａ１１２７は、ＣＱＩ配置可能制御チャネルｎに配置された制御データ信号を復調、復号する。
【００９３】
なお、上りリンク制御チャネル検出部ａ１１２７は、同様に、無線リソース制御情報の上りリンク制御チャネルの無線リソース割り当て情報に基づいて、チャネル品質指標ＣＱＩ又はスケジューリング要求ＳＲ以外の制御データ（例えば、受信応答ＡＣＫ／ＮＡＣＫ）を検出し、制御部ａ１３に出力する。
【００９４】
伝搬路等化部ａ１１２８は、サブキャリアデマッピング部ａ１１２４が分離した上りリンク共有データチャネルの信号の振幅及び位相を、伝搬路推定部ａ１１２５から入力された伝搬路推定値に基づいて等化する。ここで、等化とは、信号が無線通信中に受けた伝搬路の変動を元に戻す処理のことをいう。伝搬路等化部ａ１１２８は、等化した信号をＩＤＦＴ部ａ１１２９に出力する。
ＩＤＦＴ部ａ１１２９は、伝搬路等化部ａ１１２８から入力された信号を離散逆フーリエ変換し、データ復調部ａ１１３０に出力する。
【００９５】
データ復調部ａ１１３０は、ＩＤＦＴ部ａ１１２９が変換した上りリンク共有データチャネルの信号の復調を行い、復調した上りリンク共有データチャネルの信号をターボ復号部ａ１１３１に出力する。この復調は、移動局装置ｂ１の上りリンク要素周波数帯域毎送信処理部ｂ１４１−１のデータ変調部ｂ１４１２で用いた変調方式に対応した復調である。なお、変調方式は、制御部ａ１３より入力される。
ターボ復号部ａ１１３１は、データ復調部ａ１１３０から入力され、復調された上りリンク共有データチャネルの信号から、情報データを復号する。なお、符号化率は、制御部ａ１３より入力される。ターボ復号部ａ１１３１は、復号した情報データを上位層（図示せず）に出力する。
【００９６】
＜移動局装置ｂ１の全体構成＞
以下、図１１、図１２、図１３を用いて、本実施形態に係る移動局装置ｂ１の構成について説明する。
図１１は、本実施形態に係る移動局装置ｂ１の構成を示す概略ブロック図である。この図に示すように、移動局装置ｂ１は、受信処理部ｂ１１、制御部ｂ１２、バッファｂ１３、送信処理部ｂ１４を含んで構成される。
また、この図に示すように、受信処理部ｂ１１は、受信品質測定部ｂ１１１７及び下りリンク共有データチャネル復号部ｂ１１３を備える。また、制御部ｂ１２は、スケジューリング要求配置制御部ｂ１２１、及び上りリンク制御データ生成部ｂ１２２を備える。また、送信処理部ｂ１４は、上りリンク制御チャネル処理部ｂ１４１５及びサブキャリアマッピング部ｂ１４１６を備える。
【００９７】
受信処理部ｂ１１は、制御部ｂ１２の指示に従い、受信アンテナｂ１５１により基地局装置ａ１から受信した受信信号を復調、復号する。
例えば、受信処理部ｂ１１は、自装置宛ての下りリンク制御チャネルの信号を検出した場合は、下りリンク制御チャネルの信号を復号して取得した制御データを制御部ｂ１２に出力する。
また、受信処理部ｂ１１の下りリンク共有データチャネル復号部ｂ１１３は、受信処理部ｂ１１が出力した制御データに基づく制御部ｂ１２からの制御により、自装置宛ての下りリンク共有データチャネルを復号する。下りリンク共有データチャネル復号部ｂ１１３は、復号した情報データを、制御部ｂ１２に出力する。例えば、基地局装置ａ１との通信接続開始時には、下りリンク共有データチャネル復号部ｂ１１３は、情報データからＣＱＩ配置可能周期Ｔ２、ＳＲ割当パターン周期Ｔ、及びＳＲ割当時間ｔｎを含む無線リソース制御情報を抽出して、スケジューリング要求配置制御部ｂ１２１に出力する。
【００９８】
受信品質測定部ｂ１１１７は、下りリンク要素周波数帯域ｍ各々について、基地局装置ａ１から受信した下りリンクパイロットチャネルの下りリンク参照信号を用いて受信品質を測定して、測定結果を上りリンク制御データ生成部ｂ１２２に出力する。
なお、受信処理部ｂ１１の詳細については後述する。
【００９９】
制御部ｂ１２は、受信処理部ｂ１１から入力された制御データ及び情報データ中の無線リソース制御情報に基づいて、受信処理部ｂ１１、送信処理部ｂ１４を制御する。例えば、制御部ｂ１２は、無線リソース制御情報中の無線リソース割り当て情報、変調方式・符号化率などに基づき受信処理部ｂ１１を制御する。また、制御部ｂ１２は、情報データを上位層に出力する。
【０１００】
ここで、上記の送信処理部ｂ１４の制御について、制御部ｂ１２が備えるスケジューリング要求配置制御部ｂ１２１は、下りリンク共有データチャネル復号部ｂ１１３から入力された無線リソース制御情報に基づき、サブキャリアマッピング部ｂ１４１６を制御する。後述するように、この制御は、ＳＲ割当パターン周期Ｔ内のＳＲ割当時間ｔｎにおいて、上りリンク要素周波数帯域ｎにスケジューリング要求ＳＲを配置する制御である。すなわち、スケジューリング要求配置制御部ｂ１２１は、ＣＱＩ配置可能制御チャネル及びＳＲ配置可能制御チャネルが同時に割り当てられた複数の上りリンクサブフレームにおいて、前後の当該上りリンクサブフレームで異なる上りリンク要素周波数帯域ｎを、スケジューリング要求ＳＲを配置可能な上りリンク要素周波数帯域ｎに決定して制御をする。
【０１０１】
上りリンク制御データ生成部ｂ１２２は、上りリンク制御チャネルに配置する制御データ（例えば、下りリンクのチャネル品質指標ＣＱＩ、スケジューリング要求ＳＲ、又は受信応答ＡＣＫ／ＮＡＣＫ）を生成する。
例えば、上りリンク制御データ生成部ｂ１２２は、バッファｂ１３に蓄積された情報データ量を検出し、検出した情報データ量が予め定めた閾値を超えた場合、スケジューリング要求ＳＲを生成する。
また、上りリンク制御データ生成部ｂ１２２は、受信品質測定部ｂ１１１７から入力された測定結果であって、下りリンク要素周波数帯域ｍ各々の受信品質を示す下りリンク要素周波数帯域ｍＣＱＩを生成する。
上りリンク制御データ生成部ｂ１２２は、生成した制御データを、送信処理部ｂ１４の上りリンク制御チャネル処理部ｂ１４１５に出力する。
【０１０２】
送信処理部ｂ１４は、制御部ｂ１２の指示に従い、バッファｂ１３を介して入力された情報データ、及び制御データを符号化し、変調した信号を上りリンクの無線リソースに配置して、送信アンテナｂ１５２を介して基地局装置ａ１に送信する。
ここで、上りリンク制御チャネル処理部ｂ１４１５は、上りリンク制御データ生成部ｂ１２２から入力された制御データに対して変調等の処理を施した制御データ信号を、サブキャリアマッピング部ｂ１４１６に出力する。サブキャリアマッピング部ｂ１４１６は、制御部ｂ１２からの制御に従い、上りリンク制御チャネル処理部ｂ１４１５から入力された制御データ信号を、制御チャネルに配置する。送信処理部ｂ１４の詳細については後述する。
【０１０３】
＜移動局装置ｂ１の受信処理部ｂ１１の構成＞
以下、移動局装置ｂ１の受信処理部ｂ１１の詳細について説明をする。
図１２は、本実施形態に係る移動局装置ｂ１の受信処理部ｂ１１の構成を示す概略ブロック図である。
この図に示すように、受信処理部ｂ１１、受信ＲＦ部ｂ１１１１、Ａ／Ｄ部ｂ１１１２、シンボルタイミング検出部ｂ１１１３、ＧＩ除去部ｂ１１１４、ＦＦＴ部ｂ１１１５、多重分離部ｂ１１１６、受信品質測定部ｂ１１１７、伝搬路推定部ｂ１１１８、下りリンク共有データチャネル用の伝搬路補償部ｂ１１１９、下りリンク制御チャネル用の伝搬路補償部ｂ１１２０、下りリンク共有データチャネル復号部ｂ１１３、及び下りリンク制御チャネル復号部ｂ１１４を含んで構成され、受信アンテナｂ１５１に接続されている。
また、この図に示すように、下りリンク共有データチャネル復号部ｂ１１３は、データ復調部ｂ１１３１及びターボ復号部ｂ１１３２を備える。また、下りリンク制御チャネル復号部ｂ１１４は、ＱＰＳＫ復調部ｂ１１４１及びビタビデコーダ部ｂ１１４２を備える。
【０１０４】
受信ＲＦ部ｂ１１１１は、受信アンテナｂ１５１を介して基地局装置ａ１からの信号を受信する。受信ＲＦ部ｂ１１１１は、受信した信号を、適切に増幅し、中間周波数に変換（ダウンコンバート）する。受信ＲＦ部ｂ１１１１は、中間周波数の信号から不要な周波数成分を除去し、信号レベルが適切に維持されるように増幅レベルを制御し、受信した信号の同相成分及び直交成分に基づいて、直交復調する。
受信ＲＦ部ｂ１１１１は、直交復調したアナログ信号を、Ａ／Ｄ部ｂ１１１２に出力する。
【０１０５】
Ａ／Ｄ部ｂ１１１２は、受信ＲＦ部ｂ１１１１が直交復調したアナログ信号をディジタル信号に変換し、変換したディジタル信号を、シンボルタイミング検出部ｂ１１１３と、ＧＩ除去部ｂ１１１４と、に出力する。
シンボルタイミング検出部ｂ１１１３は、Ａ／Ｄ部ｂ１１１２が変換したディジタル信号に基づいて、シンボルのタイミングを検出し、検出したシンボル境界のタイミングを示す制御信号を、ＧＩ除去部ｂ１１１４に出力する。
【０１０６】
ＧＩ除去部ｂ１１１４は、シンボルタイミング検出部ｂ１１１３からの制御信号に基づいて、Ａ／Ｄ部ｂ１１１２の出力したディジタル信号からガードインターバルに相当する部分を除去し、残りの部分の信号を、ＦＦＴ部ｂ１１１５に出力する。
ＦＦＴ部ｂ１１１５は、ＧＩ除去部ｂ１１１４から入力された信号を高速フーリエ変換し、ＯＦＤＭ方式の復調を行い、多重分離部ｂ１１１６に出力する。
【０１０７】
多重分離部ｂ１１１６は、制御部ｂ１２からの制御に従い、ＦＦＴ部ｂ１１１５が復調した信号を、下りリンク制御チャネルの信号と、下りリンク共有データチャネルの信号とに分離する。多重分離部ｂ１１１６は、分離した下りリンク共有データチャネルの信号を、伝搬路補償部ｂ１１１９に出力し、また、分離した下りリンク制御チャネルの信号を、伝搬路補償部ｂ１１２０に出力する。
また、多重分離部ｂ１１１６は、下りリンクパイロットチャネルが配置される下りリンクリソースエレメントを分離し、下りリンクパイロットチャネルの下りリンク参照信号を、受信品質測定部ｂ１１１７及び伝搬路推定部ｂ１１１８に出力する。
【０１０８】
受信品質測定部ｂ１１１７は、下りリンク要素周波数帯域ｍについて、基地局装置ａ１から受信した下りリンクパイロットチャネルの下りリンク参照信号を用いて受信品質を測定して、測定結果を制御部ｂ１２に出力する。
【０１０９】
伝搬路推定部ｂ１１１８は、多重分離部ｂ１１１６が分離した下りリンクパイロットチャネルの下りリンク参照信号と既知の信号とを用いて伝搬路の状況を推定し、伝搬路変動を補償するように、振幅及び位相を等化するための伝搬路補償値を、伝搬路補償部ｂ１１１９及び伝搬路補償部ｂ１１２０に出力する。なお、この伝搬路補償値は、サブキャリア毎に出力される。  
伝搬路補償部ｂ１１１９は、多重分離部ｂ１１１６が分離した下りリンク共有データチャネルの信号の振幅及び位相を、伝搬路推定部ｂ１１１８から入力された伝搬路補償値に従って、サブキャリア毎に等化する。伝搬路補償部ｂ１１１９は、伝搬路を等化した信号を下りリンク共有データチャネル復号部ｂ１１３のデータ復調部ｂ１１３１に出力する。
【０１１０】
下りリンク共有データチャネル復号部ｂ１１３は、制御部ｂ１２からの制御に従い、下りリンク共有データチャネルの復調、復号を行ない、情報データを検出する。
データ復調部ｂ１１３１は、伝搬路補償部ｂ１１１９から入力された下りリンク共有データチャネルの信号の復調を行い、復調した下りリンク共有データチャネルの信号をターボ復号部ｂ１１３２に出力する。この復調は、基地局装置ａ１のデータ変調部ａ１４１２で用いた変調方式に対応した復調であり、この変調方式は、制御データにより移動局装置ｂ１に通知される。
【０１１１】
ターボ復号部ｂ１１３２は、データ復調部ｂ１１３１から入力され、復調された下りリンク共有データチャネルの信号から情報データを復号し、制御部ｂ１２を介して上位層に出力する。なお、この情報データには、無線リソース制御情報、つまり、移動局装置ｂ１の送信電力、間欠送受信サイクル、無線リソース割り当て情報、変調方式・符号化率、ＣＱＩ配置可能周期Ｔ２、及びＳＲ配置可能周期Ｔ１が含まれる。
【０１１２】
伝搬路補償部ｂ１１２０は、多重分離部ｂ１１１６が分離した下りリンク制御チャネルの信号の振幅及び位相を、伝搬路推定部ｂ１１１８から入力された伝搬路補償値に従って等化する。伝搬路補償部ｂ１１２０は、等化した信号を下りリンク制御チャネル復号部ｂ１１４のＱＰＳＫ復調部ｂ１１４１に出力する。
【０１１３】
下りリンク制御チャネル復号部ｂ１１４は、以下のように、伝搬路補償部ｂ１１２０から入力された信号を復調、復号し、自装置宛ての制御データを検出する。
ＱＰＳＫ復調部ｂ１１４１は、下りリンク制御チャネルの信号に対してＱＰＳＫ復調を行い、ビタビデコーダ部ｂ１１４２に出力する。
ビタビデコーダ部ｂ１１４２は、ＱＰＳＫ復調部ｂ１１４１が復調した信号を復号し、復号した制御データを制御部ｂ１２に出力する。ここで、この信号はビット単位で表現され、ビタビデコーダ部ｂ１１４２は、入力ビットに対してビタビデコーディング処理を行なうビットの数を調整するためにレートデマッチングも行なう。なお、制御部ｂ１２は、ビタビデコーダ部ｂ１１４２より入力された制御データに誤りがないか否かを判定し、誤りがないと判定した場合、この制御データが自装置宛の制御データと判定する。制御部ｂ１２は、自装置宛の制御データに基づき受信処理部ｂ１１（例えば、多重分離部ｂ１１１６、データ復調部ｂ１１３１、ターボ復号部ｂ１１３２）及び送信処理部ｂ１４を制御する。
【０１１４】
＜移動局装置ｂ１の送信処理部ｂ１４の構成＞
図１３は、本実施形態に係る移動局装置ｂ１の送信処理部ｂ１４の構成を示す概略ブロック図である。
この図に示すように、送信処理部ｂ１４は、複数の上りリンク要素周波数帯域毎送信処理部ｂ１４１−１〜ｂ１４１−Ｎ、要素周波数帯域合成部ｂ１４２１、Ｄ／Ａ部ｂ１４２２、及び送信ＲＦ部ｂ１４２３を含んで構成され、送信アンテナｂ１５２に接続されている。
なお、上りリンク要素周波数帯域毎送信処理部ｂ１４１−ｎ（ｎ＝１〜Ｎ）は、上りリンク要素周波数帯域ｎ毎に設けられ、それぞれ、同様の構成及び機能を有するので、その一つ（上りリンク要素周波数帯域毎送信処理部ｂ１４１−１）を代表して説明する。
【０１１５】
また、この図に示すように、上りリンク要素周波数帯域毎送信処理部ｂ１４１−１は、ターボ符号部ｂ１４１１、データ変調部ｂ１４１２、ＤＦＴ部ｂ１４１３、上りリンクパイロットチャネル処理部ｂ１４１４、上りリンク制御チャネル処理部ｂ１４１５、サブキャリアマッピング部ｂ１４１６、ＩＦＦＴ部ｂ１４１７、及び、ＧＩ挿入部ｂ１４１８を備える。
【０１１６】
上りリンク要素周波数帯域毎送信処理部ｂ１４１−１は、情報データ及び制御データに対して符号化、変調を行い、それぞれ、上りリンク要素周波数帯域内の上りリンク共有データチャネル及び上りリンク制御チャネルを用いて送信する信号を生成する。
ターボ符号部ｂ１４１１は、上位層（図示せず）から入力された情報データを、制御部ｂ１２から指示された符号化率で、データの誤り耐性を高めるためのターボ符号化を行い、データ変調部ｂ１４１２に出力する。
【０１１７】
データ変調部ｂ１４１２は、ターボ符号部ｂ１４１１が符号化した符号データを、制御部ｂ１２から指示された変調方式、例えば、ＱＰＳＫ、１６ＱＡＭ、６４ＱＡＭのような変調方式で変調し、変調シンボルの信号系列を生成する。データ変調部ｂ１４１２は、生成した変調シンボルの信号系列を、ＤＦＴ部ｂ１４１３に出力する。
ＤＦＴ部ｂ１４１３は、データ変調部ｂ１４１２が出力した信号を離散フーリエ変換し、離散フーリエ変換した情報データ信号を、サブキャリアマッピング部ｂ１４１６に出力する。このように、移動局装置ｂ１では、変調シンボルの信号系列に対して離散フーリエ変換を施し、離散フーリエ変換を施した周波数領域の信号（情報データ信号）を後述するサブキャリアマッピング部ｂ１４１６でサブキャリアに配置する（ＤＦＴ−Ｓｐｒｅａｄ  ＯＦＤＭ方式）。これにより、移動局装置ｂ１は、移動局装置ｂ１の送信電力のＰＡＰＲが増大することを防止することができる。
上りリンクパイロットチャネル処理部ｂ１４１４は、基地局装置ａ１において既知の信号であり、予め記憶する信号である上りリンク参照信号を生成し、サブキャリアマッピング部ｂ１４１６に出力する。
【０１１８】
上りリンク制御チャネル処理部ｂ１４１５は、制御部ｂ１２から入力された制御データを伝送するためのベースバンド信号処理を行う。例えば、上りリンク制御チャネル処理部ｂ１４１５には、制御データとして、スケジューリング要求ＳＲ、下りリンク要素周波数帯域ｍＣＱＩ、又は受信応答ＡＣＫ／ＮＡＣＫが入力される。
上りリンク制御チャネル処理部ｂ１４１５は、制御部ｂ１２の制御に従って、処理を行なう制御データの種類に応じて異なる形式の制御データ信号を生成し、サブキャリアマッピング部ｂ１４１６に出力する。
【０１１９】
サブキャリアマッピング部ｂ１４１６は、上りリンクパイロットチャネル処理部ｂ１４１４から入力された参照信号と、ＤＦＴ部ｂ１４１３から入力された情報データ信号と、上りリンク制御チャネル処理部ｂ１４１５各々から入力された制御データ信号とを、制御部ｂ１２からの指示に従ってサブキャリアに配置し、ＩＦＦＴ部ｂ１４１７に出力する。
【０１２０】
例えば、サブキャリアマッピング部ｂ１４１６は、スケジューリング要求配置制御部ｂ１２１からの制御により、スケジューリング要求ＳＲ又はチャネル品質指標ＣＱＩを、次のように配置する。
サブキャリアマッピング部ｂ１４１６は、上りリンク制御チャネル処理部ｂ１４１５からスケジューリング要求ＳＲが入力された場合、ＳＲ割当パターン周期Ｔ及びＳＲ割当時間ｔｎが示す次のＳＲ配置可能制御チャネルｎにスケジューリング要求ＳＲを配置するＳＲ配置処理を行う。なお、配置するスケジューリング要求ＳＲの振幅（電力）は、移動局装置ｂ１の上りリンクの受信品質に基づいて基地局装置ａ１により制御される。
例えば、サブキャリアマッピング部ｂ１４１６は、ＳＲ割当パターン周期Ｔが「１２」、ＳＲ配置時間ｔ１、ｔ２、ｔ３がそれぞれ「１」、「５」、「９」で制御が行われる場合、次のＳＲ配置可能制御チャネルが上りリンクサブフレーム１のときはＳＲ配置可能制御チャネル１に、上りリンクサブフレーム５のときはＳＲ配置可能制御チャネル２に、上りリンクサブフレーム９のときはＳＲ配置可能制御チャネル３に、スケジューリング要求ＳＲを配置する。また、同様に、サブキャリアマッピング部ｂ１４１６は、ＳＲ割当パターン周期Ｔ（Ｔ＝１２）経過後の上りリンクサブフレーム１３、１７、２１では、それぞれ、ＳＲ配置可能制御チャネル１、２、３にスケジューリング要求ＳＲを配置する。
【０１２１】
また、サブキャリアマッピング部ｂ１４１６は、ＣＱＩ配置可能周期Ｔ２において、ＣＱＩ配置可能制御チャネルｎに下りリンク要素周波数帯域ｍ（＝ｎ）ＣＱＩを配置する。
ここで、サブキャリアマッピング部ｂ１４１６は、スケジューリング要求ＳＲを配置する場合、スケジューリング要求ＳＲを配置する上りリンク要素周波数帯域ｎ及び上りリンクサブフレームには、スケジューリング要求ＳＲのみを配置し、下りリンク要素周波数帯域ｍＣＱＩを配置しない。これにより、サブキャリアマッピング部ｂ１４１６は、シングルキャリア属性を確保して、自装置での送信電力のＰＡＰＲが増大することを防止する。
例えば、図６に示したように、上りリンクでは、４個の上りリンクサブフレーム毎（上りリンクサブフレーム１、５、９、・・・）に、ＣＱＩ配置可能制御チャネルとＳＲ配置可能制御チャネルとが同じ上りリンクサブフレームに割り当てられている。サブキャリアマッピング部ｂ１４１６は、上りリンク制御データ生成部ｂ１２２からスケジューリング要求ＳＲが入力され、上りリンクサブフレーム１における上りリンク要素周波数帯域１、上りリンクサブフレーム５における上りリンク要素周波数帯域２、上りリンクサブフレーム９における上りリンク要素周波数帯域３に、スケジューリング要求ＳＲを配置する場合は、その上りリンク要素周波数帯域にはチャネル品質指標ＣＱＩを配置しない。すなわち、サブキャリアマッピング部ｂ１４１６（送信処理部ｂ１４）は、上りリンク制御データ生成部ｂ１２２がスケジューリング要求ＳＲを生成したとき、ＣＱＩ配置可能制御チャネルが割り当てられた上りリンク要素周波数帯域ｎ及び上りリンクサブフレームと、ＳＲ配置可能制御チャネルが割り当てられた上りリンク要素周波数帯域ｎ及び上りリンクサブフレームと、が同じ上りリンク要素周波数帯域ｎ及び上りリンクサブフレームである場合、当該上りリンク要素周波数帯域ｎ及び上りリンクサブフレームの無線リソースには、チャネル品質指標ＣＱＩを配置しない。
【０１２２】
ＩＦＦＴ部ｂ１４１７は、サブキャリアマッピング部ｂ１４１６が出力した信号を高速逆フーリエ変換し、ＧＩ挿入部ｂ１４１８に出力する。なお、ＩＦＦＴ部ｂ１４１７のポイント数はＤＦＴ部ｂ１４１３のポイント数よりも多い。
ＧＩ挿入部ｂ１４１８は、ＩＦＦＴ部ｂ１４１７から入力された信号に、ガードインターバルを付加し、要素周波数帯域合成部ｂ１４２１に出力する。
【０１２３】
要素周波数帯域合成部ｂ１４２１は、各上りリンク要素周波数帯域毎送信処理部ｂ１４１−ｎより入力された上りリンク要素周波数帯域ｎ毎の信号を合成し、Ｄ／Ａ部ｂ１４２２に出力する。
Ｄ／Ａ部ｂ１４２２は、要素周波数帯域合成部ｂ１４２１から入力されたベースバンドのディジタル信号をアナログ信号に変換し、送信ＲＦ部ｂ１４２３に出力する。
送信ＲＦ部ｂ１４２３は、Ｄ／Ａ部ｂ１４２２から入力されたアナログ信号から、中間周波数の同相成分及び直交成分を生成し、中間周波数帯域に対する余分な周波数成分を除去する。次に、送信ＲＦ部ｂ１４２３は、中間周波数の信号を高周波数の信号に変換（アップコンバート）し、余分な周波数成分を除去し、電力増幅し、送信アンテナｂ１５２を介して基地局装置ａ１に送信する。
【０１２４】
＜ＳＲ配置処理＞
図１４は、本実施形態に係るＳＲ配置処理による配置の一例を示す概略図である。この図は、図３の上りリンクシステム帯域幅の帯域が３個（Ｎ＝３）の上りリンク要素周波数帯域１〜３から構成される場合の図である。この図において、縦軸は時間、横軸は周波数を示す。
【０１２５】
図１４は、上りリンクサブフレーム１、５、９、・・・において、上りリンク要素周波数帯域ｎにＳＲ配置可能制御チャネルｎ（ＳＲｎ）が割り当てられていることを示す。
例えば、サブキャリアマッピング部ｂ１４１６は、上りリンク制御データ生成部ｂ１２２からスケジューリング要求ＳＲが入力された場合、上りリンクサブフレーム１、１３における上りリンク要素周波数帯域１にスケジューリング要求ＳＲを配置する。この場合、サブキャリアマッピング部ｂ１４１６は、ＣＱＩ配置可能制御チャネル１には、下りリンク要素周波数帯域１ＣＱＩを配置しない。同様に、サブキャリアマッピング部ｂ１４１６は、上りリンクサブフレーム５、１７における上りリンク要素周波数帯域２、又は上りリンクサブフレーム９、２１における上りリンク要素周波数帯域３に対してスケジューリング要求ＳＲを配置する場合、それぞれ、スケジューリング要求ＳＲを配置する上りリンク要素周波数帯域のＣＱＩ配置可能制御チャネル２、又は３には下りリンク要素周波数帯域２、３ＣＱＩを配置しない。
【０１２６】
図１４は、ＳＲ配置可能制御チャネルｎにスケジューリング要求ＳＲが配置され、斜線で示すＣＱＩ配置可能制御チャネルｎ（ＣＱＩｎ）に下りリンクのチャネル品質指標ＣＱＩが配置されないことを示す。
【０１２７】
上記のように、本実施形態に係る移動局装置ｂ１は、スケジューリング要求ＳＲを配置する上りリンク要素周波数帯域ｎを異なる上りリンク要素周波数帯域ｎに切替え、ＳＲ配置可能制御チャネルが割り当てられていない上りリンク要素周波数帯域ｎにおいて下りリンク要素周波数帯域ｍ（＝ｎ）ＣＱＩを基地局装置ａ１に送信することができる。
これにより、基地局装置ａ１は、全ての下りリンク要素周波数帯域ｍの受信品質値を検出することができる。この場合、基地局装置ａ１は、検出した受信品質値に基づき行う設定処理を、全ての下りリンク要素周波数帯域ｍに対して正確に行うことができ、ある下りリンク要素周波数帯域ｍ１の伝送品質のみが著しく劣化することを防止することができる。
【０１２８】
以下、スケジューリング要求ＳＲの配置について別の一例を用いて、本実施形態による効果を説明する。
図１５は、スケジューリング要求ＳＲの配置について別の一例を示す概略図である。この図は、図１４と同様に、図３の上りリンクシステム帯域幅の帯域が３個（Ｎ＝３）の上りリンク要素周波数帯域１〜３から構成される場合の図である。この図において、縦軸は時間、横軸は周波数を示す。
【０１２９】
図１５は、上りリンクサブフレーム１、５、９・・・の全てにおいて、上りリンク要素周波数帯域１には、ＳＲ配置可能制御チャネル（ＳＲ１）が割り当てられていることを示す。サブキャリアマッピング部ｂ１４１６は、上りリンク制御データ生成部ｂ１２２からスケジューリング要求ＳＲが入力された場合、上りリンク要素周波数帯域１にのみスケジューリング要求ＳＲを配置する。サブキャリアマッピング部ｂ１４１６は、スケジューリング要求ＳＲを配置する場合、スケジューリング要求ＳＲを配置するＣＱＩ配置可能制御チャネル１には、下りリンク要素周波数帯域１ＣＱＩを配置しない。
【０１３０】
図１５は、ＳＲ配置可能制御チャネルにスケジューリング要求ＳＲが配置され、斜線で示すＣＱＩ配置可能制御チャネル１（ＣＱＩ１）に下りリンクのチャネル品質指標ＣＱＩが配置されないことを示す。また、この図は、斜線で示す下りリンク要素周波数帯域１ＣＱＩ（下りリンク要素周波数帯域１）が、斜線で示すＣＱＩ配置可能制御チャネル１（ＣＱＩ１）に対応付けられているため、このＣＱＩ配置可能制御チャネル１に配置されないことを示す。
【０１３１】
このように、図１５に示す配置の場合、移動局装置ｂ１は、スケジューリング要求ＳＲが配置された上りリンクサブフレームにおいて、同じ下りリンク要素周波数帯域番号ｍ１（ｍ１＝１）の下りリンク要素周波数帯域ＣＱＩ、つまり、下りリンク要素周波数帯域ｍ１ＣＱＩを配置しない。つまり、移動局装置ｂ１は、下りリンク要素周波数帯域ｍ２ＣＱＩ（ｍ２はｍ１以外の下りリンク要素周波数帯域番号；ｍ２＝２、３）のみを送信し、下りリンク要素周波数帯域ｍ１ＣＱＩを基地局装置ａ１に送信しない可能性がある。
移動局装置ｂ１が基地局装置ａ１に、同じ下りリンク要素周波数帯域ｍ２ＣＱＩのみを送信して同じ下りリンク要素周波数帯域ｍ１ＣＱＩのみを送信しない場合、基地局装置ａ１は、下りリンク要素周波数帯域ｍ２の受信品質値を検出することができるが、下りリンク要素周波数帯域ｍ１の受信品質値を検出することができない。この場合、基地局装置ａ１は、検出した受信品質値に基づき行う下りリンク要素周波数帯域ｍ１に対する設定処理、例えば、下りリンク要素周波数帯域ｍ１に対する周波数スケジューリング、適応変調及び符号化のみを正確に行うことができず、下りリンク要素周波数帯域ｍ１の伝送品質が著しく劣化する。
これに対し、図１４に示す配置の場合、上記のように、移動局装置ｂ１は、スケジューリング要求ＳＲを配置する上りリンク要素周波数帯域ｎを切替え、ＳＲ配置可能制御チャネルが割り当てられていない上りリンク要素周波数帯域ｎにおいて、下りリンク要素周波数帯域番号ｍが異なる下りリンク要素周波数帯域ｍＣＱＩを基地局装置ａ１に送信することができる。
【０１３２】
＜移動局装置ｂ１の動作＞
以下、移動局装置ｂ１の動作について説明をする。
図１６は、本実施形態に係る移動局装置ｂ１の動作を示すフロー図である。
【０１３３】
（ステップＳ１０１）スケジューリング要求配置制御部ｂ１２１は、基地局装置ａ１から受信した情報データに含まれるＳＲ割当パターン周期Ｔ及びＳＲ割当時間ｔｎに基づきＳＲ配置可能制御チャネルｎを割り当てる。つまり、上りリンク要素周波数帯域ｎ各々で異なる上りリンクサブフレームにＳＲ配置可能制御チャネルｎを割り当てる。
【０１３４】
（ステップＳ１０２）制御部ｂ１２は、基地局装置ａ１から受信した情報データに含まれるＣＱＩ配置可能周期Ｔ２に基づきＣＱＩ配置可能制御チャネルｎを割り当てる。つまり、上りリンク要素周波数帯域ｎ各々で同一の上りリンクサブフレームにＣＱＩ配置可能制御チャネルを割り当てる。
【０１３５】
（ステップＳ１０３）制御部ｂ１２は、上りリンクサブフレームＳがＳＲ配置可能制御チャネルが割り当てられた上りリンクサブフレームであるか否かを判定する。
制御部ｂ１２がＳＲ配置可能制御チャネルが割り当てられた上りリンクサブフレームであると判定した場合（ＹＥＳ）、ステップＳ１０４に進む。一方、制御部ｂ１２がＳＲ配置可能制御チャネルが割り当てられた上りリンクサブフレームでないと判定した場合（ＮＯ）、ステップＳ１０５に進む。
（ステップＳ１０４）制御部ｂ１２及びサブキャリアマッピング部ｂ１４１６は、後述するＳＲ配置可能上りリンクサブフレーム配置処理（図１７）を行う。
【０１３６】
（ステップＳ１０５）制御部ｂ１２は、上りリンクサブフレームＳがＣＱＩ配置可能制御チャネルが割り当てられた上りリンクサブフレームであるか否かを判定する。具体的に、制御部ｂ１２は、ＣＱＩ配置可能周期Ｔ２に基づいて判定を行う。
制御部ｂ１２がＣＱＩ配置可能制御チャネルが割り当てられた上りリンクサブフレームであると判定した場合（ＹＥＳ）、ステップＳ１０６に進む。一方、制御部ｂ１２がＣＱＩ配置可能制御チャネルが割り当てられた上りリンクサブフレームでないと判定した場合（ＮＯ）、ステップＳ１０７に進む。
【０１３７】
（ステップＳ１０６）サブキャリアマッピング部ｂ１４１６は、下りリンク要素周波数帯域ｎＣＱＩを、上りリンクサブフレームＳのＣＱＩ配置可能制御チャネルｎに配置して送信する。
（ステップＳ１０７）サブキャリアマッピング部ｂ１４１６は、その他以外の制御データ（例えば、受信応答ＡＣＫ／ＮＡＣＫ）を配置する場合は、その制御データを制御チャネルに配置して送信する。又は、サブキャリアマッピング部ｂ１４１６は、送信する制御データがない場合、或いは、送信する制御データの制御チャネルが上りリンクサブフレームＳに割り当てられていない場合、制御データを配置しない。
ステップS１０４、ステップＳ１０６、及びステップＳ１０７の後、移動局装置ｂ１は図１６に示す動作を終了する。
【０１３８】
図１７は、本実施形態に係るＳＲ配置可能上りリンクサブフレーム配置処理の動作を示すフロー図である。この図は、図１６のステップＳ１０４の処理を示す。
【０１３９】
（ステップＳ２０１）制御部ｂ１２は、上りリンク共有データチャネルの無線リソースの割り当てを要求するか否かを判定する。具体的に、制御部ｂ１２は、自装置のバッファｂ１３に蓄積された送信する情報データの量が、予め定めた閾値以上となった場合、上りリンク共有データチャネルの無線リソースの割り当てを要求すると判定する。
制御部ｂ１２が上りリンク共有データチャネルの無線リソースの割り当てを要求すると判定した場合（ＹＥＳ）、ステップＳ２０２に進む。一方、制御部ｂ１２が上りリンク共有データチャネルの無線リソースの割り当てを要求しないと判定した場合（ＮＯ）、ステップＳ２０３に進む。
【０１４０】
（ステップＳ２０２）制御部ｂ１２は、上りリンクサブフレームＳがＣＱＩ配置可能制御チャネルが割り当てられた上りリンクサブフレームであるか否かを判定する。制御部ｂ１２がＣＱＩ配置可能制御チャネルが割り当てられた上りリンクサブフレームであると判定した場合（ＹＥＳ）、ステップＳ２０４に進む。一方、制御部ｂ１２がＣＱＩ配置可能制御チャネルが割り当てられた上りリンクサブフレームでないと判定した場合（ＮＯ）、ステップＳ２０７に進む。
（ステップＳ２０３）制御部ｂ１２は、上りリンクサブフレームＳがＣＱＩ配置可能制御チャネルが割り当てられた上りリンクサブフレームであるか否かを判定する。制御部ｂ１２がＣＱＩ配置可能制御チャネルが割り当てられた上りリンクサブフレームであると判定した場合（ＹＥＳ）、ステップＳ２０８に進む。一方、制御部ｂ１２がＣＱＩ配置可能制御チャネルが割り当てられた上りリンクサブフレームでないと判定した場合（ＮＯ）、ステップＳ２０９に進む。
【０１４１】
（ステップＳ２０４）制御部ｂ１２は、上りリンクサブフレームＳの上りリンク要素周波数帯域ｎがＳＲ配置可能制御チャネルｎが割り当てられた上りリンク要素周波数帯域であるか否かを判定する。制御部ｂ１２は、ＳＲ割当パターン周期Ｔ及びＳＲ割当時間ｔｎに基づきＳＲ配置可能制御チャネルｎが割り当てられた上りリンク要素周波数帯域ｎであるか否かを判定する。
制御部ｂ１２がＳＲ配置可能制御チャネルｎが割り当てられた上りリンク要素周波数帯域であると判定した場合、ステップＳ２０５に進む。一方、  制御部ｂ１２がＳＲ配置可能制御チャネルｎが割り当てられた上りリンク要素周波数帯域ｎでないと判定した場合、ステップＳ２０６に進む。
【０１４２】
（ステップＳ２０５）サブキャリアマッピング部ｂ１４１６は、スケジュール要求ＳＲを、上りリンク要素周波数帯域ｎのＳＲ配置可能制御チャネルｎに配置して送信する。この場合、サブキャリアマッピング部ｂ１４１６は、上りリンクサブフレームＳにおいて、スケジュール要求ＳＲを配置する上りリンク要素周波数帯域ｎに下りリンク要素周波数帯域ｍ（＝ｎ）ＣＱＩを配置しない。
【０１４３】
（ステップＳ２０６）サブキャリアマッピング部ｂ１４１６は、下りリンク要素周波数帯域ｍＣＱＩを、上りリンクサブフレームＳの上りリンク要素周波数帯域ｎのＣＱＩ配置可能制御チャネルｎに配置して送信する。
（ステップＳ２０７）サブキャリアマッピング部ｂ１４１６は、スケジュール要求ＳＲを、上りリンクサブフレームＳのＳＲ配置可能制御チャネルｎに配置して送信する。
【０１４４】
（ステップＳ２０８）サブキャリアマッピング部ｂ１４１６は、下りリンク要素周波数帯域ｍＣＱＩを、上りリンクサブフレームＳのＣＱＩ配置可能制御チャネルｎに配置して送信する。この場合、サブキャリアマッピング部ｂ１４１６は、上りリンクサブフレームＳにおいて、下りリンク要素周波数帯域ｍＣＱＩを配置する上りリンク要素周波数帯域ｎにスケジュール要求ＳＲを配置しない。
【０１４５】
（ステップＳ２０９）サブキャリアマッピング部ｂ１４１６は、その他以外の制御データ（例えば、受信応答ＡＣＫ／ＮＡＣＫ）を配置する場合は、その制御データを制御チャネルに配置して送信する。又は、サブキャリアマッピング部ｂ１４１６は、送信する制御データがない場合、或いは、送信する制御データの制御チャネルが上りリンクサブフレームＳに割り当てられていない場合、制御データを配置しない。
ステップS２０５〜Ｓ２０９の後、移動局装置ｂ１は図１７に示す動作を終了する。
【０１４６】
このように、本実施形態によれば、移動局装置ｂ１は、ＣＱＩ配置可能制御チャネル及びＳＲ配置可能制御チャネルが同時に割り当てられた複数の上りリンクサブフレームにおいて、前後の当該上りリンクサブフレームで異なる上りリンク要素周波数帯域ｎを、ＳＲ配置可能制御チャネルｎとして決定する。これにより、移動局装置ｂ１は、連続してスケジューリング要求ＳＲを配置する場合等であっても、前後の時間帯域で異なる下りリンクの要素周波数帯域ｍのチャネル品質指標ＣＱＩを基地局装置ａ１に送信することができ、基地局装置ａ１が、全ての要素周波数帯域について確実な周波数スケジューリング、適応変調、及び符号化を行うことができる。
【０１４７】
また、本実施形態によれば、移動局装置ｂ１がスケジューリング要求ＳＲを生成したとき、ＣＱＩ配置可能制御チャネルｎとＳＲ配置可能制御チャネルとが同じ上りリンク要素周波数帯域ｎ及びサブフレームである場合、当該上りリンク要素周波数帯域ｎ及びサブフレームの無線リソースに生成したスケジューリング要求ＳＲを配置し、前記チャネル品質指標を配置しないので、スケジューリング要求ＳＲを迅速かつ確実に送信することができ、移動局装置ｂ１での情報データあふれによる情報データの損失等を防止することができる。
【０１４８】
なお、上記実施形態において、基地局装置ａ１及び移動局装置ｂ１は、ＳＲ割当パターン周期Ｔ及びＳＲ割当時間ｔｎに基づいてスケジューリング要求ＳＲの配置を選択しているが、本発明はこれに限られず、他の情報を用いてもよい。
例えば、基地局装置ａ１及び移動局装置ｂ１は、ＳＲ割当時間ｔｎに代えて上りリンク要素周波数帯域ｎについてのＳＲ割当時間ｔｎ同士の時間差の情報を用いてもよい。また、ＳＲ割当時間ｔ１、つまり、上りリンク要素周波数帯域１のＳＲ配置制御チャネル１を割り当てる上りリンクサブフレームを上りリンクサブフレーム「１」と予め定めてもよい。
例えば、図６において、上りリンク要素周波数帯域１についてのＳＲ割当時間ｔ１との時間差を用いる場合、基地局装置ａ１は、この上りリンクサブフレーム「１」とＳＲ割当時間ｔ２、ｔ３との時間差「４」、「８」を移動局装置ｂ１に送信する。移動局装置ｂ１は、時間差「４」、「８」を用いて、ＳＲ配置制御チャネル２、３を割り当てる上りリンクサブフレームを、それぞれ、ＳＲ配置制御チャネル１を割り当てる上りリンクサブフレーム「１」から時間差「４」、「８」の上りリンクサブフレーム「５」、「９」として選択してもよい。
【０１４９】
また、例えば、図６において、上りリンク要素周波数帯域ｎ−１についてのＳＲ割当時間ｔｎ−１と上りリンク要素周波数帯域ｎについてのＳＲ割当時間ｔｎとの時間差、つまり、前後のＳＲ割当時間ｔｎとの時間差を用いる場合、基地局装置ａ１は、ＳＲ割当時間ｔ１（＝「１」）とＳＲ割当時間ｔ２（＝「５」）の時間差「４」、及び、ＳＲ割当時間ｔ２（＝「５」）とＳＲ割当時間ｔ３（＝「９」）の時間差「４」を移動局装置ｂ１に送信する。移動局装置ｂ１は、時間差「４」を用いて、ＳＲ配置制御チャネル２を割り当てる上りリンクサブフレームを、ＳＲ配置制御チャネル１を割り当てる上りリンクサブフレーム「１」から時間差「４」の上りリンクサブフレーム「５」を選択する。また、移動局装置ｂ１は、時間差「４」を用いて、ＳＲ配置制御チャネル３を割り当てる上りリンクサブフレームを、上りリンクサブフレーム「５」から時間差「４」の上りリンクサブフレーム「９」を選択する。
なお、本実施形態のように、前後のＳＲ割当時間ｔｎとの時間差を全て同じ（「４」）にしてもよい。これにより、基地局装置ａ１は移動局装置ｂ１に対してこの時間差（「４」）のみを送信すればよく、無線リソース制御情報の情報量を抑えることができる。
また、前後のＳＲ割当時間ｔｎとの時間差を全て同じ、又は、その差を「１」としてもよい。これにより、移動局装置ｂ１は、ＳＲ配置制御チャネルの割り当てる時間間隔を均等にすることができる。例えば、移動局装置ｂ１は、ＳＲ配置制御チャネルの割り当てる時間間隔が長い期間があって、スケジューリング要求ＳＲを迅速に送信できず、無線リソースの割り当てを要求することができないという状態が長い間続くことを回避することができるので、移動局装置に良好なサービスを提供することができる。
【０１５０】
また、上記実施形態において、サブキャリアマッピング部ｂ１４１６は、上りリンク制御データ生成部ｂ１２２がスケジューリング要求ＳＲを生成したとき、ＣＱＩ配置可能制御チャネルが割り当てられた上りリンク要素周波数帯域ｎ及び上りリンクサブフレームと、ＳＲ配置可能制御チャネルが割り当てられた上りリンク要素周波数帯域ｎ及び上りリンクサブフレームと、が同じ上りリンク要素周波数帯域ｎ及び上りリンクサブフレームである場合、当該上りリンク要素周波数帯域ｎ及び上りリンクサブフレームの無線リソースには、チャネル品質指標ＣＱＩを配置しない構成について説明をした。しかし、本発明はこれに限らず、サブキャリアマッピング部ｂ１４１６（送信処理部ｂ１４）は、ＣＱＩ配置可能制御チャネルが割り当てられた上りリンク要素周波数帯域ｎ及び上りリンクサブフレームと、ＳＲ配置可能制御チャネルが割り当てられた上りリンク要素周波数帯域ｎ及び上りリンクサブフレームと、が同じ上りリンク要素周波数帯域ｎ及び上りリンクサブフレームである場合、当該上りリンク要素周波数帯域ｎ及び上りリンクサブフレームの無線リソースには、チャネル品質指標ＣＱＩを配置しない構成であってもよい。
【０１５１】
また、上記実施形態において、移動局装置ｂ１は、基地局装置ａ１と同じＳＲ配置可能制御チャネル割当情報（図８）を予め記憶してもよい。この場合、移動局装置ｂ１は、ＳＲ配置可能制御チャネル割当情報を読み出し、基地局装置ａ１から通信接続開始時に通知されたＳＲ配置可能周期Ｔ１及びＣＱＩ配置可能周期Ｔ２に対応するＳＲ割当パターン周期Ｔ及びＳＲ割当時間ｔｎに基づいて、ＳＲ配置可能制御チャネルｎを決定する。移動局装置ｂ１は、決定したＳＲ配置可能制御チャネルにスケジューリング要求ＳＲを配置し、基地局装置ａ１に送信する。
【０１５２】
また、上記実施形態において、基地局装置ａ１は、ＳＲ配置可能周期Ｔ１の予め定めた上りリンク要素周波数帯域ｎのみをＳＲ配置可能制御チャネルに決定する（例えば、ＳＲ配置可能周期Ｔ１＝４の場合、上りリンクサブフレーム１、５、９、・・・の上りリンク要素周波数帯域１のみをＳＲ配置可能制御チャネルに決定する）、又は、ＳＲ割当パターン周期Ｔ及びＳＲ割当時間ｔｎに基づいてＳＲ配置可能制御チャネルｎを決定する、のいずれかを選択し、決定結果を示す制御情報を移動局装置ｂ１に送信してもよい。この場合、移動局装置ｂ１は、この制御情報に基づき、ＳＲ配置可能周期Ｔ１の予め定めた上りリンク要素周波数帯域ｎのみをＳＲ配置可能制御チャネルに決定する、又は、上記実施形態のようにＳＲ割当パターン周期Ｔ及びＳＲ割当時間ｔｎに基づいてＳＲ配置可能制御チャネルｎを決定する、のいずれかを行う。移動局装置ｂ１は、決定したＳＲ配置可能制御チャネルｎにスケジューリング要求ＳＲを配置する。
これにより、基地局装置ａ１は、移動局装置ｂ１が行うＳＲ配置可能制御チャネルｎの決定処理を制御することができる。
【０１５３】
なお、上述した実施形態における基地局装置ａ１、移動局装置ｂ１部、例えば、上りリンク制御チャネル配置決定部ａ１２１、上りリンク制御チャネル検出制御部ａ１３１、スケジューリング要求配置制御部ｂ１２１、上りリンク制御データ生成部ｂ１２２、受信品質測定部ｂ１１１７、下りリンク共有データチャネル復号部ｂ１１３、上りリンク制御チャネル処理部ｂ１４１５、及びサブキャリアマッピング部ｂ１４１６をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、基地局装置ａ１、移動局装置ｂ１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５５】
１・・・無線通信システム、ＢＳ１、ａ１・・・基地局装置、ＵＥ１、ＵＥ２、ｂ１・・・移動局装置、ＵＥ３・・・移動局装置、ａ１１・・・受信処理部、ａ１２・・・無線リソース制御部、ａ１３・・・制御部、ａ１４・・・送信処理部、ａ１２１・・・上りリンク制御チャネル配置決定部、ａ１３１・・・上りリンク制御チャネル検出制御部、ａ１５１・・・送信アンテナ、ａ１５２・・・受信アンテナ、ａ１４１−１〜ａ１４１−ｉ・・・下りリンク共有データチャネル処理部、ａ１４２−１〜ａ１４２−ｊ・・・下りリンク制御チャネル処理部、ａ１４３１・・・下りリンクパイロットチャネル処理部、ａ１４３２・・・多重部、ａ１４３３・・・ＩＦＦＴ部、ａ１４３４・・・ＧＩ挿入部、ａ１４３５・・・Ｄ／Ａ部、送信ＲＦ部・・・ａ１４３６、ａ１４１１・・・ターボ符号部、ａ１４１２・・・データ変調部、ａ１４２１・・・畳み込み符号部、ａ１４２２・・・ＱＰＳＫ変調部、ａ１１１１・・・受信ＲＦ部、ａ１１１２・・・Ａ／Ｄ部、ａ１１１３・・・要素周波数帯域分離部、ａ１１−１〜ａ１１−Ｎ・・・上りリンク要素周波数帯域毎受信処理部、ａ１１２１・・・シンボルタイミング検出部、ａ１１２２・・・ＧＩ除去部、ａ１１２３・・・ＦＦＴ部、ａ１１２４・・・サブキャリアデマッピング部、ａ１１２５・・・伝搬路推定部、ａ１１２６・・・伝搬路等化部、ａ１１２７・・・上りリンク制御チャネル検出部、ａ１１２８・・・伝搬路等化部、ａ１１２９・・・ＩＤＦＴ部、データ復調部・・・ａ１１３０、ａ１１３１・・・ターボ復号部、ｂ１１・・・受信処理部、ｂ１２・・・制御部、ｂ１３・・・バッファ、ｂ１４・・・送信処理部、ｂ１２１・・・スケジューリング要求配置制御部、ｂ１２２・・・上りリンク制御データ生成部、ｂ１５１・・・受信アンテナ、ｂ１５２・・・送信アンテナ、ｂ１１１１・・・受信ＲＦ部、ｂ１１１２・・・Ａ／Ｄ部、ｂ１１１３・・・シンボルタイミング検出部、ｂ１１１４・・・ＧＩ除去部、ｂ１１１５・・・ＦＦＴ部、ｂ１１１６・・・多重分離部、ｂ１１１７・・・受信品質測定部、ｂ１１１８・・・伝搬路推定部、ｂ１１１９・・・伝搬路補償部、ｂ１１２０・・・伝搬路補償部、ｂ１１３・・・下りリンク共有データチャネル復号部ｂ１１３・・・下りリンク制御チャネル復号部、ｂ１１３１・・・データ復調部、ｂ１１３２・・・ターボ復号部、ｂ１１４１・・・ＱＰＳＫ復調部、ｂ１１４２・・・ビタビデコーダ部、ｂ１４１−１〜ｂ１４１−Ｎ・・・上りリンク要素周波数帯域毎送信処理部、ｂ１４２１・・・要素周波数帯域合成部、ｂ１４２２・・・Ｄ／Ａ部、ｂ１４２３・・・送信ＲＦ部、ｂ１４１１・・・ターボ符号部、ｂ１４１２・・・データ変調部、ｂ１４１３・・・ＤＦＴ部、ｂ１４１４・・・上りリンクパイロットチャネル処理部、ｂ１４１５・・・上りリンク制御チャネル処理部、ｂ１４１６・・・サブキャリアマッピング部、ｂ１４１７・・・ＩＦＦＴ部、ｂ１４１８・・・ＧＩ挿入部
【図１】
2010212893.tif 000003
【図２】
2010212893.tif 000004
【図３】
2010212893.tif 000005
【図４】
2010212893.tif 000006
【図５】
2010212893.tif 000007
【図６】
2010212893.tif 000008
【図７】
2010212893.tif 000009
【図８】
2010212893.tif 000010
【図９】
2010212893.tif 000011
【図１０】
2010212893.tif 000012
【図１１】
2010212893.tif 000013
【図１２】
2010212893.tif 000014
【図１３】
2010212893.tif 000015
【図１４】
2010212893.tif 000016
【図１５】
2010212893.tif 000017
【図１６】
2010212893.tif 000018
【図１７】
2010212893.tif 000019
【図１８】
2010212893.tif 000020
【図１９】
2010212893.tif 000021